(57)【要約】【課題】車両内のネットワークのトラフィックが過大となることを防止し、車両内のネットワークに接続された装置に情報を効率的に伝送できるようにすること。【解決手段】配信制御装置１３０から、有線の車両ネットワーク１７０を介して、情報表示装置１５０Ａ、１５０Ｂ、１５０Ｃ、１５０Ｄに管理情報を送信する。そして、配信制御装置１３０から、無線ネットワーク１７１を介して、１つの情報表示装置１５０Ａに、映像情報を送信する。情報表示装置１５０Ａ、１５０Ｂ、１５０Ｃ、１５０Ｄは、管理情報で示される順番に応じて、映像情報を転送する。映像情報の転送が完了すると、情報表示装置１５０Ｄは、更新完了通知を配信制御装置１３０に送信する。【選択図】図１
2011259275.tif 000002
【特許請求の範囲】
【請求項１】
車両内に配置される配信制御装置と、前記車両内に配置される複数の情報表示装置とを備える情報配信システムであって、
前記配信制御装置は、
前記複数の情報表示装置の各々に映像情報を配信する順番を示す装置番号と、前記複数の情報表示装置の各々において前記映像情報の更新が完了したか否かを示す情報とを有する更新管理情報を含む管理情報を、前記情報表示装置毎に記憶する第１管理情報記憶部と、
前記映像情報を記憶する第１映像情報記憶部と、
有線ネットワークに接続する第１有線通信処理部と、
無線ネットワークに接続する第１無線通信処理部と、
第１制御部と、を備え、
前記複数の情報表示装置の各々は、
自装置の前記管理情報を記憶する第２管理情報記憶部と、
前記映像情報を記憶する第２映像情報記憶部と、
前記有線ネットワークに接続する第２有線通信処理部と、
前記無線ネットワークに接続する第２無線通信処理部と、
第２制御部と、を備え、
前記第１制御部は、
前記第１有線通信処理部を介して、前記管理情報を前記複数の情報表示装置の各々に送信する第１管理情報送信処理と、
前記第１無線通信処理部を介して、前記複数の情報表示装置のうちの前記装置番号が最初の順番を示す情報表示装置に、前記映像情報を送信する第１映像情報送信処理と、を行い、
前記第２制御部は、
前記第２有線通信処理部を介して、前記管理情報を受信する第１管理情報受信処理と、
前記管理情報を前記第２管理情報記憶部に記憶させる第１管理情報記憶処理と、
自装置の前記装置番号が最初の順番を示す場合に、前記配信制御装置から前記映像情報を受信する第１映像情報受信処理と、
自装置の前記装置番号が最初の順番を示さない場合に、前記複数の情報表示装置のうちの他の情報表示装置から前記映像情報を受信する第２映像情報受信処理と、
前記映像情報を前記第２映像情報記憶部に記憶させる第１映像情報記憶処理と、
前記第２無線通信処理部を介して前記映像情報を受信した場合には、前記第２管理情報記憶部に記憶されている管理情報に含まれている更新管理情報を、自装置において前記映像情報の更新が完了したことを示すように更新する第１更新管理情報更新処理と、
前記第２無線通信処理部を介して前記映像情報を受信し、かつ、自装置の前記装置番号が最後の順番を示すものではない場合には、前記第２無線通信部を介して、自装置よりも後の順番の前記情報表示装置に、前記映像情報を送信する第２映像情報送信処理と、
前記第２無線通信処理部を介して前記映像情報を受信し、かつ、自装置の前記装置番号が最後の順番を示す場合には、前記第２有線通信部を介して、前記配信制御装置に、更新完了通知を送信する第１更新完了通知送信処理と、を行うこと
を特徴とする情報配信システム。
【請求項２】
前記第１制御部は、さらに、
前記第１有線通信処理部を介して前記更新完了通知を受信した場合に、前記第１有線通信処理部を介して、前記複数の情報表示装置より、前記第２管理情報記憶部に記憶されている管理情報を取得する管理情報取得処理と、
前記取得した管理情報に含まれる更新管理情報を確認することで、前記映像情報を更新していない前記情報表示装置の有無を確認する更新確認処理と、を行うこと
を特徴とする請求項１に記載の情報配信システム。
【請求項３】
前記第２制御部は、前記第２映像情報送信処理として、
前記第２無線通信処理部にビーコン信号を出力させる処理と、
前記第２無線通信処理部を介して、アクセス要求を受信する処理と、
前記アクセス要求を送信してきた前記情報表示装置に前記映像情報を送信する処理と、を行うこと
を特徴とする請求項１又は２に記載の情報配信システム。
【請求項４】
前記第２制御部は、
前記第２映像情報送信処理の後に、前記第２無線通信処理部に情報の送信を停止させること
を特徴とする請求項１から３の何れか一項に記載の情報配信システム。
【請求項５】
前記第２制御部は、前記第２映像情報受信処理として、
前記他の情報表示装置が出力したビーコン信号を検知する処理と、
自装置の前記装置番号と、前記他の情報表示装置の前記装置番号との間の差分が大きいほど長くなる時間を計時して、当該時間待機する処理と、
前記待機中に、前記他の情報表示装置からのビーコン信号を検知せず、かつ、前記他の情報表示装置へのアクセス要求を検知しなかった場合には、前記第２無線通信処理部を介して、前記他の情報表示装置にアクセス要求を送信する処理と、
前記第２無線通信処理部を介して、前記他の情報表示装置から前記映像情報を受信する処理と、を行うこと
を特徴とする請求項１から４の何れか一項に記載の情報配信システム。
【請求項６】
前記第１制御部は、前記更新確認処理で、前記映像情報を更新していない前記情報表示装置があることを確認した場合には、さらに、
前記装置番号の振り直しを行う装置番号振り直し処理と、
前記第１有線通信処理部を介して、前記振り直された後の装置番号と、前記情報表示装置において前記映像情報の更新が完了したか否かを示す情報とを有する更新管理情報を含む新たな管理情報を前記情報表示装置に送信する第２管理情報送信処理と、を行うこと
を特徴とする請求項２から５の何れか一項に記載の情報配信システム。
【請求項７】
前記第２制御部は、さらに、
前記第２有線通信処理部を介して、前記新たな管理情報を受信する第２管理情報受信処理と、
前記新たな管理情報を前記第２管理情報記憶部に記憶させる第２管理情報記憶処理と、
前記新たな管理情報に含まれる更新管理情報が、自装置において前記映像情報の更新が完了していないことを示す場合には、前記第２無線通信処理部を介して、前記映像情報を受信する第３映像情報受信処理と、
前記第３映像情報受信処理で受信した前記映像情報を前記第２映像情報記憶部に記憶させる第２映像情報記憶処理と、
前記第３映像情報受信処理で前記映像情報を受信した場合には、前記新たな管理情報に含まれている更新管理情報を、自装置において前記映像情報の更新が完了したことを示すように更新する第２更新管理情報更新処理と、
前記第２管理情報受信処理で受信した時点における前記新たな管理情報に含まれる更新管理情報が、自装置において前記映像情報の更新が完了していることを示し、かつ、前記複数の情報表示装置のうちの別の情報表示装置が出力したビーコン信号を受信した場合に、当該別の情報表示装置に更新済み通知を送信する更新済み通知送信処理と、
前記振り直された後の装置番号が最初の順番を示す場合、前記更新済み通知送信処理を行い、かつ、自装置の前記振り直された後の装置番号が最後の番号を示すものではない場合、又は前記第２更新管理情報更新処理を行い、かつ、自装置の前記振り直された後の装置番号が最後の番号を示すものではない場合に、自装置よりも後の順番の前記情報表示装置に、前記映像情報を送信する第３映像情報送信処理と、を行うこと
を特徴とする請求項６に記載の情報配信システム。
【請求項８】
前記第２制御部は、前記第３映像情報送信処理として、
前記第２無線通信処理部にビーコン信号を出力させる処理と、
前記第２無線通信処理部を介して、アクセス要求を受信する処理と、
前記アクセス要求を送信してきた前記情報表示装置に前記映像情報を送信する処理と、を行うこと
を特徴とする請求項７に記載の情報配信システム。
【請求項９】
前記第２制御部は、
前記第３映像情報送信処理において前記情報表示装置に前記映像情報を送信した場合、又は前記第２無線通信処理部を介して、更新済み通知を受信した場合に、前記第２無線通信処理部に情報の送信を停止させる処理を行うこと
を特徴とする請求項８に記載の情報配信システム。
【請求項１０】
前記第２制御部は、
前記第３映像情報送信処理又は前記更新済み通知送信処理を行い、かつ、自装置の前記振り直された後の装置番号が最後の順番であることを示す場合には、前記第２有線通信部を介して、前記配信制御装置に、更新完了通知を送信する第２更新完了通知送信処理を行うこと
を特徴とする請求項７から９の何れか一項に記載の情報配信システム。
【請求項１１】
前記第２制御部は、前記第３映像情報受信処理として、
前記複数の情報表示装置のうちの自装置以外の情報表示装置が出力したビーコン信号を検知する処理と、
自装置の前記振り直された後の装置番号と、前記自装置以外の情報表示装置の前記振り直された後の装置番号との間の差分が大きいほど長くなる時間を計時して、当該時間待機する処理と、
前記待機中に、前記自装置以外の情報表示装置からビーコン信号を検知せず、かつ、前記自装置以外の情報表示装置へのアクセス要求を検知しなかった場合には、前記第２無線通信処理部を介して、前記自装置以外の情報表示装置にアクセス要求を送信する処理と、
前記第２無線通信処理部を介して、前記自装置以外の情報表示装置から前記映像情報を受信する処理と、を行うこと
を特徴とする請求項７から１０の何れか一項に記載の情報配信システム。
【請求項１２】
前記管理情報は、前記情報表示装置が属するグループを識別する為のグループ識別情報をさらに含み、
前記装置番号は、前記グループ毎に、前記グループに含まれる情報表示装置の各々に映像情報を配信する順番を示すものであり、
前記第１制御部は、前記グループ毎に、前記第１映像情報送信処理、前記管理情報取得処理及び前記更新確認処理を行い、
前記第２制御部は、前記グループ毎に、前記第１映像情報受信処理、前記第２映像情報送信処理及び前記第１更新完了通知送信処理を行うこと
を特徴とする請求項２から１１の何れか一項に記載の情報配信システム。
【請求項１３】
前記管理情報は、前記情報表示装置が属するグループを識別する為のグループ識別情報をさらに含み、
前記装置番号は、前記グループ毎に、前記グループに含まれる情報表示装置の各々に映像情報を配信する順番を示すものであり、
前記第１制御部は、前記グループ毎に、前記装置番号振り直し処理及び前記第２管理情報送信処理を行い、
前記第２制御部は、前記グループ毎に、前記第３映像情報受信処理、前記更新済み通知送信処理及び前記第３映像情報送信処理を行うこと
を特徴とする請求項６から１１の何れか一項に記載の情報配信システム。
【請求項１４】
前記車両の外に配置され、前記管理情報及び前記映像情報を送信する情報配信サーバと、
前記情報配信サーバから前記管理情報及び前記映像情報を受信して、前記管理情報及び前記映像情報を前記配信制御装置に出力する情報伝送装置と、をさらに備え、
前記配信制御装置は、前記情報伝送装置から前記管理情報及び前記映像情報の入力を受けるＩＦ部をさらに備え、
前記第１制御部は、さらに、
前記ＩＦ部を介して入力された前記管理情報を前記第１管理情報記憶部に記憶させる処理と、
前記ＩＦ部を介して入力された前記映像情報を前記第１映像情報記憶部に記憶させる処理と、を行うこと
を特徴とする請求項１から１３の何れか一項に記載の情報配信システム。
【請求項１５】
車両内に配置される配信制御装置と、前記車両内に配置される複数の情報表示装置とを備える情報配信システムであって、
前記配信制御装置は、
前記配信制御装置及び前記複数の情報表示装置の各々に映像情報を配信する順番を示す装置番号と、前記配信制御装置及び前記複数の情報表示装置の各々において前記映像情報の更新が完了したか否かを示す情報とを有する主更新管理情報を含む主管理情報、並びに、前記配信制御装置及び前記複数の情報表示装置の各々に前記映像情報を配信する順番を示す装置番号と、前記複数の情報表示装置の各々において前記映像情報の更新が完了したか否かを示す情報とを有する更新管理情報を含む管理情報、を記憶する第１管理情報記憶部と、
前記映像情報を記憶する第１映像情報記憶部と、
有線ネットワークに接続する第１有線通信処理部と、
無線ネットワークに接続する第１無線通信処理部と、
第１制御部と、を備え、
前記複数の情報表示装置の各々は、
自装置の前記管理情報を記憶する第２管理情報記憶部と、
前記映像情報を記憶する第２映像情報記憶部と、
前記有線ネットワークに接続する第２有線通信処理部と、
前記無線ネットワークに接続する第２無線通信処理部と、
第２制御部と、を備え、
前記第１制御部は、
前記第１有線通信処理部を介して、前記管理情報を前記複数の情報表示装置の各々に送信する第１管理情報送信処理と、
前記第１無線通信処理部を介して、前記装置番号が自装置よりも後の順番を示す前記情報表示装置に、前記映像情報を送信する第１映像情報送信処理と、を行い、
前記第２制御部は、
前記第２有線通信処理部を介して、前記管理情報を受信する第１管理情報受信処理と、
前記管理情報を前記第２管理情報記憶部に記憶させる第１管理情報記憶処理と、
前記第２無線通信処理部を介して、前記映像情報を受信する第１映像情報受信処理と、
前記映像情報を前記第２映像情報記憶部に記憶させる第１映像情報記憶処理と、
前記第２無線通信処理部を介して前記映像情報を受信した場合に、前記前記第２管理情報記憶部に記憶されている管理情報に含まれている更新管理情報を、自装置において前記映像情報の更新が完了したことを示すように更新する第１更新管理情報更新処理と、
前記第２無線通信処理部を介して前記映像情報を受信し、かつ、自装置の前記装置番号が最後の順番を示すものではない場合には、前記第２無線通信部を介して、自装置よりも後の順番の前記情報表示装置に、前記映像情報を送信する第２映像情報送信処理と、
前記第２無線通信処理部を介して前記映像情報を受信し、かつ、自装置の前記装置番号が最後の順番を示す場合には、前記第２有線通信部を介して、前記配信制御装置に、更新完了通知を送信する第１更新完了通知送信処理と、を行うこと
を特徴とする情報配信システム。
【請求項１６】
前記第１制御部は、さらに、
前記第１有線通信処理部を介して前記更新完了通知を受信した場合には、前記第１有線通信処理部を介して、前記複数の情報表示装置より、前記第２管理情報記憶部に記憶されている管理情報を取得する第１管理情報取得処理と、
前記取得した管理情報に含まれる更新管理情報を確認することで、前記映像情報を更新していない前記情報表示装置の有無を確認する更新確認処理と、を行うこと
を特徴とする請求項１５に記載の情報配信システム。
【請求項１７】
前記第１制御部は、前記第１映像情報送信処理として、
前記第１無線通信処理部にビーコン信号を出力させる処理と、
前記第１無線通信処理部を介して、アクセス要求を受信する処理と、
前記アクセス要求を送信してきた前記情報表示装置に前記映像情報を送信する処理と、を行うこと
を特徴とする請求項１５又は１６に記載の情報配信システム。
【請求項１８】
前記第１制御部は、
前記第１映像情報送信処理の後に、前記第１無線通信処理部に情報の送信を停止させること
を特徴とする請求項１５から１７の何れか一項に記載の情報配信システム。
【請求項１９】
前記第２制御部は、前記第２映像情報送信処理として、
前記第２無線通信処理部にビーコン信号を出力させる処理と、
前記第２無線通信処理部を介して、アクセス要求を受信する処理と、
前記アクセス要求を送信してきた前記情報表示装置に前記映像情報を送信する処理と、を行うこと
を特徴とする請求項１５から１８の何れか一項に記載の情報配信システム。
【請求項２０】
前記第２制御部は、
前記第２映像情報送信処理の後に、前記第２無線通信処理部に情報の送信を停止させること
を特徴とする請求項１５から１９の何れか一項に記載の情報配信システム。
【請求項２１】
前記第２制御部は、前記第１映像情報受信処理として、
前記配信制御装置又は前記複数の情報表示装置のうちの他の情報表示装置が出力したビーコン信号を検知する処理と、
自装置の前記装置番号と、前記検知されたビーコン信号の出力元の装置の前記装置番号との間の差分が大きいほど長くなる時間を計時して、当該時間待機する処理と、
前記待機中に、前記検知されたビーコン信号の出力元の装置からのビーコン信号を検知せず、かつ、前記検知されたビーコン信号の出力元の装置へのアクセス要求を検知しなかった場合には、前記第２無線通信処理部を介して、前記検知されたビーコン信号の出力元の装置にアクセス要求を送信する処理と、
前記第２無線通信処理部を介して、前記検知されたビーコン信号の出力元の装置から前記映像情報を受信する処理と、を行うこと
を特徴とする請求項１５から２０の何れか一項に記載の情報配信システム。
【請求項２２】
前記第１制御部は、前記更新確認処理で、前記映像情報を更新していない前記情報表示装置があることを確認した場合には、さらに、
前記装置番号の振り直しを行う装置番号振り直し処理と、
前記第１有線通信処理部を介して、前記振り直された後の装置番号と、前記配信制御装置及び前記複数の情報表示装置の各々において前記映像情報の更新が完了したか否かを示す情報とを有する更新管理情報を含む新たな管理情報を前記情報表示装置に送信する第２管理情報送信処理と、を行うこと
を特徴とする請求項１６から２１の何れか一項に記載の情報配信システム。
【請求項２３】
前記第２制御部は、さらに、
前記第２有線通信処理部を介して、前記新たな管理情報を受信する第２管理情報受信処理と、
前記新たな管理情報を前記第２管理情報記憶部に記憶させる第２管理情報記憶処理と、
前記新たな管理情報に含まれる更新管理情報が、自装置において前記映像情報の更新が完了していないことを示す場合には、前記第２無線通信処理部を介して、前記映像情報を受信する第２映像情報受信処理と、
前記第２映像情報受信処理で受信した前記映像情報を前記第２映像情報記憶部に記憶させる第２映像情報記憶処理と、
前記第２映像情報受信処理で前記映像情報を受信した場合には、前記新たな管理情報に含まれている更新管理情報を、自装置において前記映像情報の更新が完了したことを示すように更新する第２更新管理情報更新処理と、
前記第２管理情報受信処理で受信した時点における前記新たな管理情報に含まれる更新管理情報が、自装置において前記映像情報の更新が完了していることを示し、かつ、前記複数の情報表示装置のうちの別の情報表示装置が出力したビーコン信号を受信した場合に、当該別の情報表示装置に更新済み通知を送信する更新済み通知送信処理と、
前記振り直された後の装置番号が最初の順番を示す場合、前記更新済み通知送信処理を行い、かつ、自装置の前記振り直された後の装置番号が最後の番号を示すものではない場合、又は前記第２更新管理情報更新処理を行い、かつ、自装置の前記振り直された後の装置番号が最後の番号を示すものではない場合に、自装置よりも後の順番の前記情報表示装置に、前記映像情報を送信する第３映像情報送信処理と、を行うこと
を特徴とする請求項２２に記載の情報配信システム。
【請求項２４】
前記第２制御部は、前記第３映像情報送信処理として、
前記第２無線通信処理部にビーコン信号を出力させる処理と、
前記第２無線通信処理部を介して、アクセス要求を受信する処理と、
前記アクセス要求を送信してきた前記情報表示装置に前記映像情報を送信する処理と、を行うこと
を特徴とする請求項２３に記載の情報配信システム。
【請求項２５】
前記第２制御部は、
前記第３映像情報送信処理において前記情報表示装置に前記映像情報を送信した場合、又は前記第２無線通信処理部を介して、更新済み通知を受信した場合に、前記第２無線通信処理部に情報の送信を停止させる処理を行うこと
を特徴とする請求項２４に記載の情報配信システム。
【請求項２６】
前記第２制御部は、前記第２映像情報受信処理として、
前記複数の情報表示装置のうちの自装置以外の情報表示装置が出力したビーコン信号を検知する処理と、
自装置の前記振り直された後の装置番号と、前記自装置以外の情報表示装置の前記振り直された後の装置番号との間の差分が大きいほど長くなる時間を計時して、当該時間待機する処理と、
前記待機中に、前記自装置以外の情報表示装置からビーコン信号を検知せず、かつ、前記自装置以外の情報表示装置へのアクセス要求を検知しなかった場合には、前記第２無線通信処理部を介して、前記自装置以外の情報表示装置にアクセス要求を送信する処理と、
前記第２無線通信処理部を介して、前記自装置以外の情報表示装置から前記映像情報を受信する処理と、を行うこと
を特徴とする請求項２２から２５の何れか一項に記載の情報配信システム。
【請求項２７】
前記第１制御部は、さらに、
前記複数の情報表示装置のうちの１の情報表示装置が出力したビーコン信号を検知する処理と、
自装置の前記振り直された後の装置番号と、前記１の情報表示装置の前記振り直された後の装置番号との間の差分が大きいほど長くなる時間を計時して、当該時間待機する処理と、
前記待機中に、前記１の情報表示装置からビーコン信号を検知せず、かつ、前記１の情報表示装置へのアクセス要求を検知しなかった場合には、前記第１有線通信処理部を介して、前記複数の情報表示装置より、前記第２管理情報記憶部に記憶されている管理情報を取得する第２管理情報取得処理と、
前記更新確認処理と、を行うこと
を特徴とする請求項２２から２６の何れか一項に記載の情報配信システム。
【請求項２８】
前記車両の外に配置され、前記主管理情報及び前記映像情報を送信する情報配信サーバと、
前記情報配信サーバから前記主管理情報及び前記映像情報を受信して、前記主管理情報及び前記映像情報を前記配信制御装置に出力する情報伝送装置と、をさらに備え、
前記配信制御装置は、前記情報伝送装置から前記主管理情報及び前記映像情報の入力を受けるＩＦ部をさらに備え、
前記第１制御部は、さらに、
前記ＩＦ部を介して入力された前記主管理情報を前記第１管理情報記憶部に記憶させる処理と、
前記主管理情報より、前記管理情報を生成して、前記第１管理情報記憶部に記憶させる処理と、
前記ＩＦ部を介して入力された前記映像情報を前記第１映像情報記憶部に記憶させる処理と、を行うこと
を特徴とする請求項１５から２７の何れか一項に記載の情報配信システム。
【請求項２９】
前記有線ネットワークは、電力線搬送通信を利用したネットワークであること
を特徴とする請求項１から２８の何れか一項に記載の情報配信システム。
【請求項３０】
前記配信制御装置及び前記複数の情報表示装置は、複数の車両の各々に配置されており、
前記複数の車両の各々に配置された前記配信制御装置の中から選択された１の配信制御装置に、他の配信制御装置から、前記第１無線通信処理部を介して、前記複数の情報表示装置より取得された管理情報を送信し、
前記１の配信制御装置の前記第１制御部は、前記更新確認処理として、
前記複数の情報表示装置より取得された管理情報に含まれる更新管理情報を確認することで、前記複数の車両に配置されている前記情報表示装置の内、前記映像情報を更新していない前記情報表示装置の有無を確認すること
を特徴とする請求項２、６から１３、１６、２２から２７の何れか一項に記載の情報配信システム。
【発明の詳細な説明】
【技術分野】
【０００１】
本発明は情報配信システムに関し、特に、車両内で提供する情報を配信するための情報配信システムに関する。
【背景技術】
【０００２】
天気予報、ニュース等の様々な情報を車両内等に提供する車両内情報提供システムは、例えば、特許文献１に記載されている。
特許文献１に記載されている車両内情報提供システムは、車両内に設けられている列車データサーバから、車両内ＬＡＮを介して、様々な情報を情報表示器又は車両データ中継装置に送信する。情報を受信した情報表示器は、当該情報に対応する映像を表示し、また、情報を受信した車両データ中継装置は、当該情報を携帯情報端末に送信する。
【先行技術文献】
【特許文献】
【０００３】
【特許文献１】特開２００１−６３５８１号公報（段落００３１〜００３５、図４）
【発明の概要】
【発明が解決しようとする課題】
【０００４】
特許文献１に記載された車両内情報提供システムでは、情報表示器及び車両データ中継装置に送信する全ての情報が、車両内ＬＡＮを介して送受信されているため、車両内ＬＡＮのトラフィックが過大となり、情報表示器及び車両データ中継装置に情報を効率的に伝送することができなかった。
【０００５】
そこで、本発明は、車両内のネットワークのトラフィックが過大となることを防止し、車両内のネットワークに接続された装置に情報を効率的に伝送できるようにすることを目的とする。
【課題を解決するための手段】
【０００６】
本発明に係る情報配信システムは、
車両内に配置される配信制御装置と、前記車両内に配置される複数の情報表示装置とを備える情報配信システムであって、
前記配信制御装置は、
前記複数の情報表示装置の各々に映像情報を配信する順番を示す装置番号と、前記複数の情報表示装置の各々において前記映像情報の更新が完了したか否かを示す情報とを有する更新管理情報を含む管理情報を、前記情報表示装置毎に記憶する第１管理情報記憶部と、
前記映像情報を記憶する第１映像情報記憶部と、
有線ネットワークに接続する第１有線通信処理部と、
無線ネットワークに接続する第１無線通信処理部と、
第１制御部と、を備え、
前記複数の情報表示装置の各々は、
自装置の前記管理情報を記憶する第２管理情報記憶部と、
前記映像情報を記憶する第２映像情報記憶部と、
前記有線ネットワークに接続する第２有線通信処理部と、
前記無線ネットワークに接続する第２無線通信処理部と、
第２制御部と、を備え、
前記第１制御部は、
前記第１有線通信処理部を介して、前記管理情報を前記複数の情報表示装置の各々に送信する第１管理情報送信処理と、
前記第１無線通信処理部を介して、前記複数の情報表示装置のうちの前記装置番号が最初の順番を示す情報表示装置に、前記映像情報を送信する第１映像情報送信処理と、を行い、
前記第２制御部は、
前記第２有線通信処理部を介して、前記管理情報を受信する第１管理情報受信処理と、
前記管理情報を前記第２管理情報記憶部に記憶させる第１管理情報記憶処理と、
自装置の前記装置番号が最初の順番を示す場合に、前記配信制御装置から前記映像情報を受信する第１映像情報受信処理と、
自装置の前記装置番号が最初の順番を示さない場合に、前記複数の情報表示装置のうちの他の情報表示装置から前記映像情報を受信する第２映像情報受信処理と、
前記映像情報を前記第２映像情報記憶部に記憶させる第１映像情報記憶処理と、
前記第２無線通信処理部を介して前記映像情報を受信した場合には、前記第２管理情報記憶部に記憶されている管理情報に含まれている更新管理情報を、自装置において前記映像情報の更新が完了したことを示すように更新する第１更新管理情報更新処理と、
前記第２無線通信処理部を介して前記映像情報を受信し、かつ、自装置の前記装置番号が最後の順番を示すものではない場合には、前記第２無線通信部を介して、自装置よりも後の順番の前記情報表示装置に、前記映像情報を送信する第２映像情報送信処理と、
前記第２無線通信処理部を介して前記映像情報を受信し、かつ、自装置の前記装置番号が最後の順番を示す場合には、前記第２有線通信部を介して、前記配信制御装置に、更新完了通知を送信する第１更新完了通知送信処理と、を行うこと
を特徴とする。
【発明の効果】
【０００７】
本発明によれば、車両内のネットワークのトラフィックが過大となることを防止し、車両内のネットワークに接続された装置に情報を効率的に伝送することができる。
【図面の簡単な説明】
【０００８】
【図１】実施の形態１に係る情報配信システムの構成を概略的に示す図である。
【図２】管理情報の一例を示す概略図である。
【図３】配信制御装置の構成を概略的に示す図である。
【図４】第１配信管理部の構成を概略的に示す図である。
【図５】情報表示装置の構成を概略的に示す図である。
【図６】第２配信管理部の構成を概略的に示す図である。
【図７】情報表示装置のグループ分けと装置番号の割り当てとを説明する概略図である。
【図８】情報表示装置における映像情報及び管理情報の更新について説明する概略図である。
【図９】配信制御装置及び情報表示装置が、映像情報を更新する処理を示すシーケンス図（その１）である。
【図１０】配信制御装置及び情報表示装置が、映像情報を更新する処理を示すシーケンス図（その２）である。
【図１１】主管理情報の一例を示す概略図である。
【図１２】配信制御装置の構成を概略的に示す図である。
【図１３】第１配信管理部の構成を概略的に示す図である。
【図１４】配信制御装置及び情報表示装置が、映像情報を更新する処理を示すシーケンス図（その１）である。
【図１５】配信制御装置及び情報表示装置が、映像情報を更新する処理を示すシーケンス図（その２）である。
【図１６】隣り合う車両間で映像情報を更新する場合を説明する概略図である。
【発明を実施するための形態】
【０００９】
実施の形態１．
図１は、実施の形態１に係る情報配信システム１００の構成を概略的に示す図である。情報配信システム１００は、情報配信サーバ１１０と、情報伝送装置１２０と、配信制御装置１３０と、情報表示装置１５０Ａ、１５０Ｂ、１５０Ｃ、１５０Ｄ（特に各々を区別する必要がないときは、情報表示装置１５０という）とを備える。
ここで、図１の括弧内の符号は、実施の形態２における符号である。
【００１０】
情報配信サーバ１１０は、列車又はバス等の車両１８０の外部、例えば、駅、車庫又は路線上の基地等に設置される。情報配信サーバ１１０は、映像情報と、当該映像情報を配信する際に使用される管理情報ＭＤとを有線又は無線を用いて送信する。本実施の形態では、情報配信システム１００に含まれる情報表示装置１５０の各々に対応する各々の管理情報ＭＤが、情報配信サーバ１１０から、情報伝送装置１２０を介して、配信制御装置１３０に送信される。
【００１１】
図２は、管理情報ＭＤの一例を示す概略図である。管理情報ＭＤは、ＭＡＣ（Ｍｅｄｉａ  Ａｃｃｅｓｓ  Ｃｏｎｔｒｏｌ）アドレス領域ＭＤ１と、認証鍵領域ＭＤ２と、グループ識別情報領域ＭＤ３と、装置番号領域ＭＤ４と、更新管理情報領域ＭＤ５と、使用ＣＨ（Ｃｈａｎｎｅｌ）番号領域ＭＤ６と、コンテンツ識別情報領域ＭＤ７と、表示時間情報領域ＭＤ８とを備える。
【００１２】
ＭＡＣアドレス領域ＭＤ１は、各々の情報表示装置１５０を識別する為の識別情報として用いられるＭＡＣアドレスを格納する。
認証鍵領域ＭＤ２は、データ通信において装置の認証を行い不正な機器の接続を防止し、また、データを暗号化してデータの秘匿性を確保するために用いられる認証鍵を格納する。
グループ識別情報領域ＭＤ３は、ＭＡＣアドレス領域ＭＤ１で識別される情報表示装置１５０が属するグループを識別する為のグループ識別情報を格納する。情報表示装置１５０は何れかのグループに属しており、グループ毎に配信される映像情報が異なる。以下及び図面において、グループ識別情報をＧＩＤともいう。
装置番号領域ＭＤ４は、グループ識別情報領域ＭＤ３で識別されるグループにおいて、ＭＡＣアドレス領域ＭＤ１で識別される情報表示装置１５０に映像情報を優先して配信する順番を示す装置番号を格納する。なお、装置番号は、各々のグループにおいて連番となるように、予め各々の情報表示装置１５０に割り振られている。
【００１３】
更新管理情報領域ＭＤ５は、グループ識別情報領域ＭＤ３で識別されるグループに属する情報表示装置１５０が映像情報を更新したか否かを管理する為の更新管理情報を格納する。例えば、更新管理情報は、装置番号欄ＭＤ５−１、ＭＡＣアドレス欄ＭＤ５−２及び完了フラグ欄ＭＤ５−３を有するテーブル形式の情報である。
装置番号欄ＭＤ５−２は、グループ識別情報領域ＭＤ３で識別されるグループに属する全ての情報表示装置１５０の装置番号を格納する。
ＭＡＣアドレス欄ＭＤ５−２は、装置番号欄ＭＤ５−１で特定される情報表示装置１５０のＭＡＣアドレスを格納する。
完了フラグ欄ＭＤ５−３は、装置番号欄ＭＤ５−１及びＭＡＣアドレス欄ＭＤ５−２で特定される情報表示装置１５０において、映像情報の更新が完了したか否かを示す完了フラグを格納する。例えば、完了フラグは、「１」の場合には、映像情報の更新が完了したことを示し、「０」の場合には、映像情報の更新が完了していないことを示す。
【００１４】
使用ＣＨ番号領域ＭＤ６は、グループ識別情報領域ＭＤ３に格納されているグループ識別情報で示されるグループ毎に、映像情報を送受信する際に使用する無線ネットワーク１７１のチャンネルを示す使用ＣＨ番号を格納する。本実施の形態では、グループ毎に異なるチャンネルを用いて、映像情報の送受信が行われるものとする。
コンテンツ識別情報領域ＭＤ７は、グループ識別情報領域ＭＤ３で識別されるグループにおいて、配信される映像情報を識別する為の識別情報であるコンテンツ識別情報を格納する。
表示時間情報領域ＭＤ８は、コンテンツ識別情報領域ＭＤ７に格納されているコンテンツ識別情報で識別される映像情報毎に、表示する時間又は時刻を示す表示時間情報を格納する。
【００１５】
図１に戻り、情報伝送装置１２０は、情報配信サーバ１１０と無線又は有線によって通信を行い、情報配信サーバ１１０及び配信制御装置１３０の間の通信を中継する。例えば、情報伝送装置１２０は、情報配信サーバ１１０より受信した管理情報及び映像情報を配信制御装置に出力する。
【００１６】
配信制御装置１３０は、情報伝送装置１２０を介して、映像情報及び管理情報ＭＤを受信する。そして、配信制御装置１３０は、管理情報ＭＤを各々の情報表示装置１５０に送信し、また、映像情報をグループ内における装置番号で特定される最初の順番の情報表示装置１５０に送信する。配信制御装置１３０と情報表示装置１５０とは、有線ネットワークである車両ネットワーク１７０、及び無線ネットワーク１７１を介して、情報の送受信を行う。例えば、配信制御装置１３０は、管理情報ＭＤのような、情報表示装置１５０を管理するための制御系の情報の通信には、車両ネットワーク１７０を用い、情報表示装置１５０に配信する映像情報の通信には、無線ネットワーク１７１を用いる。ここで、車両ネットワーク１７０を介して送受信する情報は、映像情報のような大きなデータサイズを有する情報ではないので、車両ネットワーク１７０は、数百ｂｐｓ程度の低レートの有線ネットワークでもよい。なお、無線ネットワーク１７１では、例えば、基地局を必要としないアドホック・モードで通信が行われているものとする。
【００１７】
図３は、配信制御装置１３０の構成を概略的に示す図である。配信制御装置１３０は、ＩＦ部１３１と、第１配信管理部１３２と、送受信制御部１３３と、有線通信部１３４と、無線通信部１３５とを備える。ここで、送受信制御部１３３及び有線通信部１３４により、第１有線通信処理部１３６が構成され、送受信制御部１３３及び無線通信部１３５により、第１無線通信処理部１３７が構成されるものとする。
【００１８】
ＩＦ部１３１は、図１に示す情報伝送装置１２０との間で情報を受け渡すためのインターフェースである。例えば、ＩＦ部１３１は、情報伝送装置１２０より、情報配信サーバ１１０が送信した管理情報ＭＤ及び映像情報の入力を受け、これらの管理情報ＭＤ及び映像情報を第１配信管理部１３２に与える。
【００１９】
第１配信管理部１３２は、管理情報ＭＤに基づいて、情報表示装置１５０における映像情報の更新管理を行う。
図４は、第１配信管理部１３２の構成を概略的に示す図である。第１配信管理部１３２は、第１管理情報記憶部１３２Ａと、第１管理情報管理部１３２Ｂと、一時情報記憶部１３２Ｃと、第１更新制御部１３２Ｄと、第１映像情報記憶部１３２Ｅと、第１映像情報管理部１３２Ｆとを備える。ここで、第１管理情報管理部１３２Ｂ、第１更新制御部１３２Ｄ及び第１映像情報管理部１３２Ｆにより、第１制御部１３２Ｇが構成されるものとする。
【００２０】
第１管理情報記憶部１３２Ａは、図３に示すＩＦ部１３１より送られてきた管理情報ＭＤを記憶する。ここで、第１管理情報記憶部１３２Ａには、全ての情報表示装置１５０の管理情報ＭＤが記憶される。
第１管理情報管理部１３２Ｂは、第１管理情報記憶部１３２Ａに記憶されている管理情報ＭＤを管理する。例えば、第１管理情報管理部１３２Ｂは、第１更新制御部１３２Ｄの指示に応じて、第１管理情報記憶部１３２Ａに記憶されている管理情報ＭＤの更新を行う。
【００２１】
一時情報記憶部１３２Ｃは、更新済みの映像情報のデータサイズ、及び各々の情報表示装置１５０から送られてきた管理情報ＭＤ等、第１更新制御部１３２Ｄで用いる情報を格納する。
第１更新制御部１３２Ｄは、情報伝送装置１２０を介して得られた管理情報ＭＤの更新を制御し、また、この管理情報ＭＤに基づいて、映像情報の配信を制御する。さらに、第１更新制御部１３２Ｄは、第１管理情報記憶部１３２Ａに記憶されている管理情報ＭＤを、対応する各々の情報表示装置１５０に配信する処理を制御する。
【００２２】
第１映像情報記憶部１３２Ｅは、情報伝送装置１２０を介して得られた映像情報を記憶する。
第１映像情報管理部１３２Ｆは、第１映像情報記憶部１３２Ｅに記憶されている映像情報を管理する。例えば、第１映像情報管理部１３２Ｆは、第１更新制御部１３２Ｄからの指示に応じて、第１映像情報記憶部１３２Ｅから映像情報を読み出して、第１更新制御部１３２Ｄに与える。
【００２３】
図３に戻り、送受信制御部１３３は、有線通信部１３４及び無線通信部１３５の通信制御を行うとともに、通信の必要のない場合には、不要な情報を送信しないように有線通信部１３４及び無線通信部１３５に送信停止指示を出す。
有線通信部１３４は、車両ネットワーク１７０を介した通信を行う。例えば、有線通信部１３４は、車両ネットワーク１７０を介して、情報表示装置１５０との間で管理情報ＭＤを送受信する。また、有線通信部１３４は、送受信制御部１３３より送信停止指示を受けると、情報の送信を停止する。
無線通信部１３５は、無線ネットワーク１７１を介した通信を行う。例えば、無線通信部１３５は、無線ネットワーク１７１を介して、情報表示装置１５０に映像情報を送信する。また、無線通信部１３５は、送受信制御部１３３より送信停止指示を受けると、情報の送信を停止する。
【００２４】
図５は、情報表示装置１５０の構成について概略的に示す図である。情報表示装置１５０は、有線通信部１５１と、無線通信部１５２と、送受信制御部１５３と、第２配信管理部１５４と、映像情報処理部１５５と、表示制御部１５６と、表示部１５７とを備える。ここで、有線通信部１５１及び送受信制御部１５３により、第２有線通信処理部１５８が構成され、無線通信部１５２及び送受信制御部１５３により、第２無線通信処理部１５９が構成されるものとする。
【００２５】
有線通信部１５１は、車両ネットワーク１７０を介した通信を行う。例えば、有線通信部１５１は、車両ネットワーク１７０を介して、配信制御装置１３０との間で管理情報ＭＤを送受信する。
無線通信部１５２は、無線ネットワーク１７１を介した通信を行う。例えば、無線通信部１５２は、無線ネットワーク１７１を介して、配信制御装置１３０及び他の情報表示装置１５０との間で映像情報を送受信する。
送受信制御部１５３は、有線通信部１５１及び無線通信部１５２の通信制御を行うとともに、通信の必要のない場合には、不要な情報を送信しないように有線通信部１５１及び無線通信部１５２に送信停止指示を出す。このような送信停止指示を受けた有線通信部１５１及び無線通信部１５２は、情報の送信を停止する。
【００２６】
第２配信管理部１５４は、管理情報ＭＤに基づいて、情報表示装置１５０における映像情報の更新管理を行う。
【００２７】
図６は、第２配信管理部１５４の構成を概略的に示す図である。第２配信管理部１５４は、第２管理情報記憶部１５４Ａと、第２管理情報管理部１５４Ｂと、第２更新制御部１５４Ｃと、第２映像情報記憶部１５４Ｄと、第２映像情報管理部１５４Ｅとを備える。ここで、第２管理情報管理部１５４Ｂ、第２更新制御部１５４Ｃ及び第２映像情報管理部１５４Ｅにより、第２制御部１５４Ｆが構成されるものとする。
【００２８】
第２管理情報記憶部１５４Ａは、有線通信部１５１より送られてきた管理情報ＭＤを記憶する。ここで、第２管理情報記憶部１５４Ａには、情報表示装置１５０自身の管理情報ＭＤが記憶される。
第２管理情報管理部１５４Ｂは、第２管理情報記憶部１５４Ａに記憶されている管理情報ＭＤを管理する。例えば、第２管理情報管理部１５４Ｂは、第２更新制御部１５４Ｃの指示に応じて、第２管理情報記憶部１５４Ａに記憶されている管理情報ＭＤの更新を行う。
第２更新制御部１５４Ｃは、管理情報ＭＤの更新を制御し、また、管理情報ＭＤに基づいて、映像情報の配信を制御する。
第２映像情報記憶部１５４Ｄは、無線通信部１５２を介して得られた映像情報を記憶する。
第２映像情報管理部１５４Ｅは、第２映像情報記憶部１５４Ｄに記憶されている映像情報を管理する。例えば、第２映像情報管理部１３２Ｆは、第２更新制御部１５４Ｃからの指示に応じて、第２映像情報記憶部１５４Ｄから映像情報を読み出して、第２更新制御部１５４Ｃに与える。さらに、第２映像情報管理部１５４Ｅは、図５に示す映像情報処理部１５５からの指示に応じて、第２映像情報記憶部１５４Ｄから映像情報を読み出して、映像情報処理部１５５に与える。
【００２９】
図５に戻り、映像情報処理部１５５は、図６に示す第２更新制御部１５４Ｃから映像情報を受け取り、この映像情報を表示部１５７に表示可能な映像出力情報に変換する。そして、映像情報処理部１５５は、この映像出力情報を表示制御部１５６に与える。
表示制御部１５６は、映像情報処理部１５５から映像出力情報を受け取り、この映像出力情報に基づく映像を、表示部１５７に表示させる処理を制御する。例えば、表示制御部１５６は、管理情報ＭＤの表示時間情報ＭＤ８で示される時間又は時刻に、表示部１５７で表示が行われるように制御を行う。
表示部１５７は、表示制御部１５６の指示に応じて、映像出力情報に基づく映像を表示する。表示部１５７としては、例えば、ＬＣＤ、有機ＥＬ又は電子ペーパー等、設置スペースが比較的小さいものが好適であるが、映像を表示可能な表示装置であれば、これらに限定されるものではない。
【００３０】
図１に戻り、車内ネットワーク１７０は、周辺の環境に左右されることなく、必要な時にいつでも配信制御装置１３０と情報表示装置１５０との間で通信を行うことができるように、有線ネットワークにより構成する。このため、車内ネットワーク１７０は、無線ネットワーク１７１のように車両１８０の内部又は外部の環境状況によって影響を受けることが少なく、途切れることない通信を行うことができる。この有線ネットワークは、ＲＳ４２２又はＰＬＣ（Ｐｏｗｅｒ  Ｌｉｎｅ  Ｃｏｍｍｕｎｉｃａｔｉｏｎ：電力線搬送通信）等を利用したネットワークにより構成することができる。ＰＬＣを利用した場合には、ＲＳ４２２やＥｔｈｅｒｎｅｔのように専用線を車両１８０内に設ける必要がなく、配信制御装置１３０と同じ電源ライン上のコンセントでデータの送受信が可能となる。このため、配信制御装置１３０と同じ電源ラインを使用すれば新たな配線が必要なくなり、情報表示装置１５０を設置する際に専用線を新たに配線する手間がかからず、情報表示装置１５０の設置位置を固定することなく比較的自由に決めることができる。また、情報表示装置１５０を設置する際に、車両１８０を大きく改修する必要がなくなるため、改修コストを低く抑えることができる。
【００３１】
次に、各情報表示装置１５０のグループ分けと装置番号の割り振りとを説明する。例えば、車両１８０内において、情報表示装置１５０が、図７に示されるように配置されている場合について説明する。図７において、Ａ０〜Ａ３、Ｂ０〜Ｂ３及びＣ０〜Ｃ３の各々が、情報表示装置１５０である。
図７において、装置Ａ０、Ａ１、Ａ２、Ａ３は、グループＡで、グループ識別情報（ＧＩＤ）として、例えば「００００」が割り振られている。同様に、装置Ｂ０、Ｂ１、Ｂ２、Ｂ３は、グループＢで、グループ識別情報として、例えば「０００１」が割り振られている。また、装置Ｃ０、Ｃ１、Ｃ２、Ｃ３は、グループＣで、グループ識別情報として、例えば「０００２」が割り振られている。
また、グループ毎に各々の装置の装置番号（ＩＤ）として、例えば「００００」、「０００１」、「０００２」、「０００３」が割り振られている。そして、この装置番号の小さいものから順に、優先して映像情報の更新が行われる。例えば、グループ識別情報が「００００」のグループＡでは、装置番号「００００」の装置Ａ０、装置番号「０００１」の装置Ａ１、装置番号「０００２」の装置Ａ２、装置番号「０００３」の装置Ａ３の順に、優先して映像情報の更新が行われる。
例えば、図７に示す装置番号は、情報配信サーバ１１０から送信されてきた管理情報ＭＤで予め割り振られた初期値であり、この装置番号の初期値は、後述するように、情報表示装置１５０で映像情報の更新が行われなかった際に、配信制御装置１３０で振り直される。
【００３２】
図８は、情報表示装置１５０における映像情報及び管理情報ＭＤの更新について説明する概略図である。ここで、図８では、グループＡに属する情報表示装置１５０（装置Ａ０〜Ａ３）における映像情報及び管理情報ＭＤの更新について説明する。
図８において、左端に描かれた各々の時刻ｔ１〜ｔ４で特定される行と、上端に描かれた各々の装置Ａ０〜Ａ３で特定される列とが交差する位置には、各々の時刻ｔ１〜ｔ４における各々の装置Ａ０〜Ａ３の更新管理情報と、映像情報の更新が完了しているか否かとが示されている。図８において、実線で囲まれた４つの領域内のそれぞれには、各々の時刻ｔ１〜ｔ４における各々の装置Ａ０〜Ａ３の更新管理情報の完了フラグ欄ＭＤ５−３に格納されている値が示されている。ここで、この実線で囲まれた４つの領域は、左端が装置Ａ０、左から２番目が装置Ａ１、左から３番目が装置Ａ２及び左から４番目（右端）が装置Ａ３に対応する完了フラグ欄ＭＤ５−３の値である。そして、この実線で囲まれた４つの領域の内、ハッチングが施されている領域は、上端に描かれている装置Ａ０〜Ａ３が認識しているマスター、言い換えると、ビーコン信号を発信し、映像情報の送信元となる装置を示している。さらに、この実線で囲まれた４つの領域が破線で囲まれている場合には、上端に描かれている装置Ａ０〜Ａ３において映像情報の更新が実際に完了していることを示す。
【００３３】
配信制御装置１３０は、あるグループに配信する映像情報を情報配信サーバ１１０より受信すると、管理情報ＭＤに基づいて、当該グループの最初の順番を示す装置番号が割り振られている情報表示装置１５０（図８では、装置Ａ０とする）に映像情報を送信する。このような映像情報を受信した情報表示装置１５０（装置Ａ０）は、図８に示すように映像情報の更新を開始する。
【００３４】
まず、時刻ｔ１（初期状態）においては、上端に描かれている装置Ａ０〜Ａ３までの情報表示装置１５０は、図２に示す管理情報ＭＤにおける更新管理情報の装置番号欄ＭＤ５−１を参照することにより、最も小さい装置番号を有する装置Ａ０が、ビーコン信号を発信する装置であると認識している。このことは、時刻ｔ１において、上端に描かれている装置Ａ０〜Ａ３のそれぞれにおいて、実線で囲まれた４つの領域の内、装置Ａ０に対応する左端の領域にハッチングが施されていることで示されている。
【００３５】
また、時刻ｔ１において、装置Ａ０がビーコン信号を出力し、装置Ａ０のビーコン信号を装置Ａ１〜Ａ３が検知することにより、装置Ａ１〜Ａ３は、装置Ａ０において映像情報が更新されたことを認識する。なお、装置Ａ１〜Ａ３は、ビーコン信号に含まれているＭＡＣアドレスより、ビーコン信号の送信元が装置Ａ０であることを認識することができる。そして、装置Ａ１〜Ａ３は、それぞれの更新管理情報において、装置Ａ０に対応して、完了フラグ欄ＭＤ５−３に格納されている値を「０」から「１」に更新する。このことは、時刻ｔ１において、上端に描かれている装置Ａ０〜Ａ３のそれぞれにおいて、実線で囲まれた４つの領域の内、装置Ａ０に対応する左端の領域に「１」が格納されていることで示されている。
【００３６】
さらに、装置Ａ０からのビーコン信号を受信した装置Ａ１〜Ａ３では、それぞれ、下記の（１）式で示される待機時間ＷＡＴの間待機して、この時間内に他の装置から装置Ａ０へのアクセス要求及び装置Ａ０のビーコン信号を検知しなければ、装置Ａ０にアクセス要求を発信する。
ＷＡＴ＝ｗｔ×ｎ＋α        ・・・（１）
（１）式において、「ｗｔ」は、ビーコン信号を受信してから映像情報の更新にかかる時間である。この「ｗｔ」は、実験等に基づいて、予め定められた時間である。「ｎ」は、ビーコン信号を出力する装置の装置番号から自装置の装置番号まで間の装置番号を有する装置の数を示す値であり、「ｎ＝（自装置の装置番号の値）−（ビーコン信号を出力する装置の装置番号の値）−１」で求められる。「α」は、ビーコン信号を受信してから映像情報の更新にかかる時間のマージンとして見込む時間である。この「α」についても、予め定められた時間である。従って、待機時間ＷＡＴは、ビーコン信号を出力する装置の装置番号から自装置の装置番号まで間の装置番号を有する装置の数が多いほど長い時間となる。
なお、時刻ｔ１では、装置Ａ０のビーコン信号を装置Ａ１が正常に受信して、装置Ａ１が装置Ａ０にアクセス要求を発信し、映像情報の更新を行うものとする。
【００３７】
時刻ｔ２では、装置Ａ０からの映像情報を装置Ａ１が受信して、装置Ａ１において映像情報の更新が完了している。装置Ａ０及び装置Ａ１は、装置Ａ１において映像情報が更新されたため、それぞれの管理情報ＭＤにおいて、更新管理情報の装置Ａ１に対応する完了フラグ欄ＭＤ５−３（図２参照）の値を「０」から「１」に更新する。以降、装置Ａ０は、装置Ａ２、Ａ３等での映像情報の更新状態については関知せず、ビーコン信号の発信をやめ、送信動作は行わないこととする。例えば、装置Ａ０の送受信制御部１３３は、有線通信部１３４及び無線通信部１３５に送信停止指示を出す。このような送信停止指示を受けた有線通信部１３４及び無線通信部１３５は、送信処理を停止する。このように動作することにより、不要な送信を行わず、衝突により再送信を行わなくてすむため、無駄なトラフィックを発生することがなく、無駄な消費電力を抑えることができる。
【００３８】
時刻ｔ３において、装置Ａ１がマスターとなってビーコン信号を発信する。このとき、装置Ａ２には、ノイズや動作不良等により装置Ａ１からのビーコン信号を正常受信できない状況が発生しているものとする。このような状況では、装置Ａ３が、装置Ａ１のビーコン信号を検知してから（１）式で求められる待機時間ＷＡＴのカウントを完了してから、装置Ａ１にアクセス要求を発信する。なお、この待機時間ＷＡＴのカウントは、再度、装置Ａ１からのビーコン信号を受信した時点でリセットされ、待機時間ＷＡＴのカウントが再び開始される。このような待機時間ＷＡＴのカウント中は、受信動作を休止することができるため、例えば、情報表示装置１５０は、無線通信部１５２の電源をオフ状態にして消費電力の削減を図ることもできる。
また、時刻ｔ３において、装置Ａ１がビーコン信号を出力し、装置Ａ１のビーコン信号を装置Ａ３が検知することにより、装置Ａ３は、装置Ａ１において映像情報が更新されたことを認識して、更新管理情報において、装置Ａ１に対応する完了フラグ欄ＭＤ５−３（図２参照）の値を「０」から「１」に更新するとともに、マスターが装置Ａ１であると認識する。
【００３９】
時刻ｔ４では、装置Ａ１からの映像情報を装置Ａ３が受信して、装置Ａ３において映像情報の更新が完了している。装置Ａ１及び装置Ａ３は、装置Ａ３において映像情報が更新されたため、それぞれの更新管理情報において、装置Ａ３に対応する完了フラグ欄ＭＤ５−３（図２参照）の値を「０」から「１」に更新する。装置Ａ１からのビーコン信号を検知できなかった装置Ａ２は、ビーコン信号を受信できていないため、アクセス要求を発信することなく、受信待ち状態を継続し、映像情報及び管理情報の更新を行わない。
【００４０】
図９及び図１０は、配信制御装置１３０及び情報表示装置１５０が、映像情報を更新する処理を示すシーケンス図である。ここでは、情報表示装置１５０Ａ〜１５０Ｄにより１つのグループが形成されており、情報表示装置１５０Ａ〜１５０Ｄの装置番号の値は、情報表示装置１５０Ａ、情報表示装置１５０Ｂ、情報表示装置１５０Ｃ及び情報表示装置１５０Ｄの順に大きくなっているものとする。
【００４１】
まず、配信制御装置１３０のＩＦ部１３１が、情報伝送装置１２０を介して、情報配信サーバ１１０より映像情報を受信する（Ｓ１０）。この映像情報には、コンテンツ識別情報が付加されているものとする。そして、この映像情報は、ＩＦ部１３１より第１配信管理部１３２に渡される。第１配信管理部１３２では、第１更新制御部１３２Ｄが、第１映像情報管理部１３２Ｆを介して、第１映像情報記憶部１３２Ｅにこの映像情報を記憶させる。
【００４２】
次に、第１更新制御部１３２Ｄは、第１管理情報管理部１３２Ｂを介して、第１管理情報記憶部１３２Ａに記憶されている管理情報ＭＤのコンテンツ識別情報領域ＭＤ７及びグループ識別情報領域ＭＤ３を参照することにより、取得した映像情報に付加されているコンテンツ識別情報に基づいて、この映像情報を配信するグループを特定する。また、第１更新制御部１３２Ｄは、管理情報ＭＤの更新管理情報領域ＭＤ５を参照することにより、特定したグループにおいて、装置番号の値が最も小さい情報表示装置１５０ＡのＭＡＣアドレスを取得する。また、第１更新制御部１３２Ｄは、第１映像情報管理部１３２Ｆを介して、第１映像情報記憶部１３２Ｅに記憶されている映像情報を取得する。例えば、第１更新制御部１３２Ｄは、一時情報記憶部１３２Ｃを参照して、特定したグループに送信済みの部分を除いた部分の映像情報を取得する。そして、第１更新制御部１３２Ｄは、取得した映像情報を、取得したＭＡＣアドレスをあて先として送信するように送受信制御部１３３に指示を出す。このような指示を受けた送受信制御部１３３は、指示に応じて、無線通信部１３５に映像情報の送信を行わせる（Ｓ１１）。
【００４３】
配信制御装置１３０より映像情報を受信した情報表示装置１５０Ａでは、無線通信部１５２から送受信制御部１５３を介して、受信した映像情報が第２配信管理部１５４に渡される。第２配信管理部１５４では、第２更新制御部１５４Ｃが、第２映像情報管理部１５４Ｅを介して、映像情報を第２映像情報記憶部１５４Ｄに記憶させる。また、第２更新制御部１５４Ｃは、第２管理情報管理部１５４Ｂを介して、第２管理情報記憶部１５４Ａに記憶されている管理情報ＭＤの更新管理情報を更新して、自装置に対応する完了フラグ欄ＭＤ５−３の値を「０」から「１」にする（Ｓ１２）。
【００４４】
次に、情報表示装置１５０Ａの第２更新制御部１５４Ｃは、管理情報ＭＤの更新管理情報において、自装置が最後の順番ではないこと、言い換えると、自装置の装置番号の値が最も大きな値ではないことを確認すると、送受信制御部１５３に指示を出して、無線通信部１５２より、ビーコン信号を出力させる（Ｓ１３）。
【００４５】
情報表示装置１５０Ａからのビーコン信号を検知した情報表示装置１５０Ｂでは、第２更新制御部１５４Ｃが、情報表示装置１５０Ｃ、１５０Ｄよりも短い待機時間ＷＡＴのカウントを行い、送受信制御部１５３を介して、無線通信部１５２より情報表示装置１５０Ａにアクセス要求を送信する（Ｓ１４）。
【００４６】
情報表示装置１５０Ｂよりアクセス要求を受けた情報表示装置１５０Ａでは、第２更新制御部１５４Ｃが、第２映像情報管理部１５４Ｅを介して、第２映像情報記憶部１５４Ｄから映像情報を取得する。そして、第２更新制御部１５４Ｃは、取得した映像情報を、送受信制御部１５３を介して、無線通信部１５２より情報表示装置１５０Ｂに送信する（Ｓ１５）。
【００４７】
そして、映像情報を送信した情報表示装置１５０Ａでは、第２更新制御部１５４Ｃが、第２管理情報管理部１５４Ｂを介して、第２管理情報記憶部１５４Ａに記憶されている管理情報ＭＤの更新管理情報を更新して、映像情報の送信先である情報表示装置１５０Ｂに対応する完了フラグ欄ＭＤ５−３の値を「０」から「１」にする（Ｓ１６）。また、第２更新制御部１５４Ｃは、送受信制御部１５３を介して、無線通信部１５２に送信停止指示を出して、無線通信部１５２からのビーコン信号の送信を停止させる。以降、情報表示装置１５０Ａは、映像情報を送信した情報表示装置１５０Ｂよりも順番の遅い装置番号を有する情報表示装置１５０Ｃ、１５０Ｄでの更新には関与しない。
【００４８】
また、情報表示装置１５０Ａより映像情報を受信した情報表示装置１５０Ｂでは、無線通信部１５２から送受信制御部１５３を介して、受信した映像情報が第２配信管理部１５４に渡される。第２配信管理部１５４では、第２更新制御部１５４Ｃが、第２映像情報管理部１５４Ｅを介して、映像情報を第２映像情報記憶部１５４Ｄに記憶させる。また、第２更新制御部１５４Ｃは、第２管理情報管理部１５４Ｂを介して、第２管理情報記憶部１５４Ａに記憶されている管理情報ＭＤの更新管理情報を更新して、自装置に対応する完了フラグ欄ＭＤ５−３の値を「０」から「１」にする（Ｓ１７）。
【００４９】
次に、情報表示装置１５０Ｂの第２更新制御部１５４Ｃは、管理情報ＭＤの更新管理情報において、自装置が最後の順番ではないことを確認すると、送受信制御部１５３に指示を出して、無線通信部１５２より、ビーコン信号を出力させる（Ｓ１８）。
【００５０】
本シーケンスでは、情報表示装置１５０Ｃの故障又は情報表示装置１５０Ｃの周囲に干渉電波源がある等により、情報表示装置１５０Ｃが情報表示装置１５０Ｂからのビーコン信号を検知することができないものとする。この場合、情報表示装置１５０Ｂからのビーコン信号を検知した情報表示装置１５０Ｄでは、第２更新制御部１５４Ｃが、情報表示装置１５０Ｃの次に短い待機時間ＷＡＴのカウントを行い、送受信制御部１５３を介して、無線通信部１５２より情報表示装置１５０Ｂにアクセス要求を送信する（Ｓ１９）。
【００５１】
情報表示装置１５０Ｄよりアクセス要求を受けた情報表示装置１５０Ｂでは、第２更新制御部１５４Ｃが、第２映像情報管理部１５４Ｅを介して、第２映像情報記憶部１５４Ｄから映像情報を取得する。そして、第２更新制御部１５４Ｃは、取得した映像情報を、送受信制御部１５３を介して、無線通信部１５２より情報表示装置１５０Ｄに送信する（Ｓ２０）。
【００５２】
そして、映像情報を送信した情報表示装置１５０Ｂでは、第２更新制御部１５４Ｃが、第２管理情報管理部１５４Ｂを介して、第２管理情報記憶部１５４Ａに記憶されている管理情報ＭＤの更新管理情報を更新して、映像情報の送信先である情報表示装置１５０Ｄに対応する完了フラグ欄ＭＤ５−３の値を「０」から「１」にする（Ｓ２１）。また、第２更新制御部１５４Ｃは、送受信制御部１５３を介して、無線通信部１５２に送信停止指示を出して、無線通信部１５２からのビーコン信号の送信を停止させる。
【００５３】
また、情報表示装置１５０Ｂより映像情報を受信した情報表示装置１５０Ｄでは、無線通信部１５２から送受信制御部１５３を介して、受信した映像情報が第２配信管理部１５４に渡される。第２配信管理部１５４では、第２更新制御部１５４Ｃが、第２映像情報管理部１５４Ｅを介して、映像情報を第２映像情報記憶部１５４Ｄに記憶させる。また、第２更新制御部１５４Ｃは、第２管理情報管理部１５４Ｂを介して、第２管理情報記憶部１５４Ａに記憶されている管理情報ＭＤの更新管理情報を更新して、自装置に対応する完了フラグ欄ＭＤ５−３の値を「０」から「１」にする（Ｓ２２）。
【００５４】
次に、情報表示装置１５０Ｄの第２更新制御部１５４Ｃは、管理情報ＭＤの更新管理情報において、自装置が最後の順番であることを確認すると、送受信制御部１５３を介して、有線通信部１５１より、配信制御装置１３０に更新完了通知を送信させる（Ｓ２３）。
【００５５】
このような更新完了通知を受信した配信制御装置１３０では、第１更新制御部１３２Ｄが、第１管理情報管理部１３２Ｂを介して、第１管理情報記憶部１３２Ａに記憶されている管理情報ＭＤの更新管理情報を参照することにより、更新完了通知を送信してきた情報表示装置１５０Ｄが属するグループに含まれる全ての情報表示装置１５０Ａ〜１５０ＤのＭＡＣアドレスを取得する。そして、第１更新制御部１３２Ｄは、情報表示装置１５０に対して管理情報の送信を要求する管理情報送信要求を、取得した全てのＭＡＣアドレスをあて先として送信するように送受信制御部１３３に指示を出す。このような指示を受けた送受信制御部１３３は、指示に応じて、有線通信部１３４に管理情報送信要求の送信を行わせる（Ｓ２４）。
【００５６】
管理情報送信要求を受信した各々の情報表示装置１５０Ａ〜１５０Ｄでは、第２更新制御部１５４Ｃが、第２管理情報管理部１５４Ｂを介して、第２管理情報記憶部１５４Ａより管理情報ＭＤを取得する。そして、第２更新制御部１５４Ｃは、送受信制御部１５３を介して、この管理情報ＭＤを有線通信部１５１より配信制御装置１３０に送信する（Ｓ２５）。
なお、管理情報を送信する際には、不正な装置が、管理情報を混入させないように、機器認証を行うことが望ましい。機器認証は、例えば、情報表示装置１５０が、認証鍵を使用して自装置のＭＡＣアドレスを暗号化し、暗号化したＭＡＣアドレスを配信制御装置１３０に送信することで行うことができる。
【００５７】
図１０に進み、各々の情報表示装置１５０Ａ〜１５０Ｄより、管理情報ＭＤを受信した配信制御装置１３０では、管理情報ＭＤが、有線通信部１３４から送受信制御部１３３を介して第１配信管理部１３２に渡される。第１配信管理部１３２では、第１更新制御部１３２Ｄが、管理情報ＭＤを一時情報記憶部１３２Ｃに記憶させる。そして、第１更新制御部１３２Ｄは、一時情報記憶部１３２Ｃに記憶させた管理情報ＭＤの更新管理情報を確認することにより、映像情報の更新が行われていない情報表示装置１５０があるか否かを確認する。本シーケンスでは、上述のように、情報表示装置１５０Ｃにおいて、映像情報の更新が行われていないものとする。このような場合には、第１更新制御部１３２Ｄは、グループ内における情報表示装置１５０の装置番号の振り直しを行う（Ｓ２６）。装置番号の振り直しは、予め定められた方法で行えばよいが、例えば、振り直し後の装置番号で定まる順番が、振り直し前の装置番号で定まる順番の逆の順番となるようにする。なお、振り直し後の装置番号で定まる最初の順番に対応する情報表示装置１５０において、映像情報の更新が行われていない場合には、他の情報表示装置１５０と順番を入れ替えることにより、最初の順番に対応する情報表示装置１５０は、必ず更新が行われているものとするのが望ましい。
【００５８】
また、第１更新制御部１３２Ｄは、第１管理情報管理部１３２Ｂを介して、第１管理情報記憶部１３２Ａに格納されている管理情報ＭＤを更新して、管理情報ＭＤの装置番号領域ＭＤ４及び更新管理情報領域ＭＤ５に格納された情報が、ステップＳ２６で振り直された後の装置番号を示すようにする。このとき、第１更新制御部１３２Ｄは、管理情報ＭＤの更新管理情報において、既に映像情報の更新が行われた情報表示装置１５０Ａ、１５０Ｂ、１５０ＣのＭＡＣアドレスに対応する完了フラグ欄ＭＤ５−３には、更新が完了していることを示す「１」の値を格納する。そして、第１更新制御部１３２Ｄは、送受信制御部１３３を介して、有線通信部１３４より更新後の管理情報ＭＤを各々の情報表示装置１５０Ａ〜１５０Ｄに送信する（Ｓ２７）。
なお、管理情報を送信する際には、不正な装置が、管理情報を受信しないように、認証鍵を使用して管理情報を暗号化し、暗号化した管理情報を情報表示装置１５０に送信することが望ましい。
【００５９】
更新後の管理情報ＭＤを受信した各々の情報表示装置１５０Ａ〜１５０Ｄでは、有線通信部１５１から送受信制御部１５３を介して、管理情報ＭＤが第２配信管理部１５４に渡される。第２配信管理部１５４では、第２更新制御部１５４Ｃが、第２管理情報管理部１５４Ｂを介して、第２管理情報記憶部１５４Ａに既に記憶されている管理情報ＭＤを渡された管理情報ＭＤに更新する。例えば、第２更新制御部１５４Ｃは、既に記憶されている管理情報ＭＤを消去させて、渡された管理情報ＭＤを第２管理情報記憶部１５４Ａに記憶させる。
【００６０】
情報表示装置１５０Ｄの第２更新制御部１５４Ｃは、第２管理情報記憶部１５４Ａに記憶されている管理情報ＭＤの更新管理情報において、自装置が最初の順番であること、言い換えると、自装置の装置番号の値が最も小さな値であることを確認すると、送受信制御部１５３に指示を出して、無線通信部１５２より、ビーコン信号を出力させる（Ｓ２８）。
【００６１】
情報表示装置１５０Ｄからのビーコン信号を検知した情報表示装置１５０Ｃでは、第２更新制御部１５４Ｃが、第２管理情報記憶部１５４Ａに記憶されている管理情報ＭＤの更新管理情報において、自装置の更新が行われていないことを確認すると、情報表示装置１５０Ａ、１５０Ｂよりも短い待機時間ＷＡＴのカウントを行い、送受信制御部１５３を介して、無線通信部１５２より情報表示装置１５０Ｄにアクセス要求を送信する（Ｓ２９）。
【００６２】
情報表示装置１５０Ｃよりアクセス要求を受けた情報表示装置１５０Ｄでは、第２更新制御部１５４Ｃが、第２映像情報管理部１５４Ｅを介して、第２映像情報記憶部１５４Ｄから映像情報を取得する。そして、第２更新制御部１５４Ｃは、取得した映像情報を、送受信制御部１５３を介して、無線通信部１５２より情報表示装置１５０Ｃに送信する（Ｓ３０）。
【００６３】
そして、映像情報を送信した情報表示装置１５０Ｄでは、第２更新制御部１５４Ｃが、第２管理情報管理部１５４Ｂを介して、第２管理情報記憶部１５４Ａに記憶されている管理情報ＭＤの更新管理情報を更新して、映像情報の送信先である情報表示装置１５０Ｃに対応する完了フラグ欄ＭＤ５−３の値を「０」から「１」にする（Ｓ３１）。また、第２更新制御部１５４Ｃは、送受信制御部１５３を介して、無線通信部１５２に送信停止指示を出して、無線通信部１５２からのビーコン信号の送信を停止させる。以降、情報表示装置１５０Ｄは、映像情報を送信した情報表示装置１５０Ｃよりも順番の遅い装置番号を有する情報表示装置１５０Ａ、１５０Ｂでの更新には関与しない。
【００６４】
また、情報表示装置１５０Ｄより映像情報を受信した情報表示装置１５０Ｃでは、無線通信部１５２から送受信制御部１５３を介して、受信した映像情報が第２配信管理部１５４に渡される。第２配信管理部１５４では、第２更新制御部１５４Ｃが、第２映像情報管理部１５４Ｅを介して、映像情報を第２映像情報記憶部１５４Ｄに記憶させる。また、第２更新制御部１５４Ｃは、第２管理情報管理部１５４Ｂを介して、第２管理情報記憶部１５４Ａに記憶されている管理情報ＭＤの更新管理情報を更新して、自装置に対応する完了フラグ欄ＭＤ５−３の値を「０」から「１」にする（Ｓ３２）。
【００６５】
次に、情報表示装置１５０Ｃの第２更新制御部１５４Ｃは、管理情報ＭＤの更新管理情報において、自装置が最後の順番ではないことを確認すると、送受信制御部１５３に指示を出して、無線通信部１５２より、ビーコン信号を出力させる（Ｓ３３）。
【００６６】
情報表示装置１５０Ｃからのビーコン信号を検知した情報表示装置１５０Ｂでは、第２更新制御部１５４Ｃが、管理情報ＭＤの更新管理情報において、自装置の更新が行われていることを確認すると、情報表示装置１５０Ａよりも短い待機時間ＷＡＴのカウントを行い、送受信制御部１５３を介して、無線通信部１５２より情報表示装置１５０Ｃに更新済み通知を送信する（Ｓ３４）。
【００６７】
このような更新済み通知を受信した情報表示装置１５０Ｃでは、第２更新制御部１５４Ｃが、送受信制御部１５３を介して、無線通信部１５２に送信停止指示を出して、無線通信部１５２からのビーコン信号の送信を停止させる。
【００６８】
また、このような更新済み通知を送信した情報表示装置１５０Ｂでは、第２更新制御部１５４Ｃが、管理情報ＭＤの更新管理情報において、自装置が最後の順番ではないことを確認すると、送受信制御部１５３に指示を出して、無線通信部１５２より、ビーコン信号を出力させる（Ｓ３５）。
【００６９】
情報表示装置１５０Ｂからのビーコン信号を検知した情報表示装置１５０Ａでは、第２更新制御部１５４Ｃが、第２管理情報記憶部１５４Ａに記憶されている管理情報ＭＤの更新管理情報において、自装置の更新が行われていることを確認すると、待機時間ＷＡＴのカウントを行い、送受信制御部１５３を介して、無線通信部１５２より情報表示装置１５０Ｂに更新済み通知を送信する（Ｓ３６）。
【００７０】
このような更新済み通知を受信した情報表示装置１５０Ｂでは、第２更新制御部１５４Ｃが、送受信制御部１５３を介して、無線通信部１５２に送信停止指示を出して、無線通信部１５２からのビーコン信号の送信を停止させる。
【００７１】
また、このような更新済み通知を送信した情報表示装置１５０Ａでは、第２更新制御部１５４Ｃが、管理情報ＭＤの更新管理情報において、自装置が最後の順番であることを確認すると、送受信制御部１５３を介して、有線通信部１５１より、配信制御装置１３０に更新完了通知を送信する（Ｓ３７）。
【００７２】
このような更新完了通知を受信した配信制御装置１３０では、第１更新制御部１３２Ｄが、第１管理情報管理部１３２Ｂを介して、第１管理情報記憶部１３２Ａに記憶されている管理情報ＭＤの更新管理情報を参照することにより、更新完了通知を送信してきた情報表示装置１５０Ａが属するグループに含まれる全ての情報表示装置１５０Ａ〜１５０ＤのＭＡＣアドレスを取得する。そして、第１更新制御部１３２Ｄは、管理情報送信要求を、取得した全てのＭＡＣアドレスをあて先として送信するように送受信制御部１３３に指示を出す。このような指示を受けた送受信制御部１３３は、指示に応じて、有線通信部１３４に管理情報送信要求の送信を行わせる（Ｓ３８）。
【００７３】
管理情報送信要求を受信した各々の情報表示装置１５０Ａ〜１５０Ｄでは、第２更新制御部１５４Ｃが、第２管理情報管理部１５４Ｂを介して、第２管理情報記憶部１５４Ａより管理情報ＭＤを取得する。そして、第２更新制御部１５４Ｃは、送受信制御部１５３を介して、この管理情報ＭＤを有線通信部１５１より配信制御装置１３０に送信する（Ｓ３９）。
【００７４】
各々の情報表示装置１５０Ａ〜１５０Ｄより、管理情報ＭＤを受信した配信制御装置１３０では、管理情報ＭＤが、有線通信部１３４から送受信制御部１３３を介して第１配信管理部１３２に渡される。第１配信管理部１３２では、第１更新制御部１３２Ｄが、管理情報ＭＤを一時情報記憶部１３２Ｃに記憶させる。そして、第１更新制御部１３２Ｄは、一時情報記憶部１３２Ｃに記憶させた管理情報ＭＤの更新管理情報を確認することにより、映像情報の更新が行われていない情報表示装置１５０があるか否かを確認する。映像情報の更新が行われていない情報表示装置１５０がない場合には、映像情報の更新を終了する。
一方、ここで、映像情報の更新が行われていない情報表示装置１５０がある場合には、配信制御装置１３０は、さらにステップＳ２６の処理に戻って、処理を繰り返してもよいが、例えば、更新が行われていない情報表示装置１５０が故障を起こしているか、又は周辺環境が悪い状態であると判断し、管理者に通知して処置をするように警報を情報配信サーバ１１０に送信するようにしてもよい。例えば、第１更新制御部１３２Ｄが、ＩＦ部１３１及び情報伝送装置１２０を介して、更新が行われていない情報表示装置１５０を識別する情報（例えば、ＭＡＣアドレス等）を含む警報を、情報配信サーバ１１０に送信すればよい。
【００７５】
以上のように、本実施の形態によれば、配信制御装置１３０において、情報表示装置１５０における映像情報の更新状況を把握することができるため、情報表示装置１５０における映像情報の更新を確実に行うことができる。また、配信制御装置１３０及び情報表示装置１５０における映像情報の送受信は、無線ネットワーク１７１を利用したアドホック・モードで送信しているため、トラフィックが過大となってしまうことを防止することができる。
【００７６】
実施の形態２．
次に、実施の形態２に係る情報配信システム２００について説明する。図１に示すように、実施の形態２に係る情報配信システム２００は、情報配信サーバ２１０及び配信制御装置２３０において、実施の形態１に係る情報配信システム１００と異なっている。
実施の形態１では、配信制御装置１３０から予め定められた情報表示装置１５０に映像情報を送信し、この情報表示装置１５０から順番に他の情報表示装置１５０に映像情報を転送するようにしているが、実施の形態２では、配信制御装置２３０から順番に情報表示装置１５０に映像情報を転送するようにしている。
【００７７】
本実施の形態における情報配信サーバ２１０は、実施の形態１と同様に、車両１８０の外部に設置される。一方、本実施の形態における情報配信サーバ２１０は、映像情報と、当該映像情報を配信する際に使用される主管理情報ＭＤａとを配信する。本実施の形態においては、１つの主管理情報ＭＤａが、情報伝送装置１２０を介して、配信制御装置２３０に送信される。
【００７８】
図１１は、主管理情報ＭＤａの一例を示す概略図である。主管理情報ＭＤａは、ＭＡＣアドレス領域ＭＤａ１と、認証鍵領域ＭＤａ２と、グループ識別情報領域ＭＤａ３と、装置番号領域ＭＤａ４と、主更新管理情報領域ＭＤａ５と、使用ＣＨ番号領域ＭＤａ６と、コンテンツ識別情報領域ＭＤａ７と、表示時間情報領域ＭＤａ８とを備える。
ＭＡＣアドレス領域ＭＤａ１は、配信制御装置２３０を識別する為の識別情報として用いられるＭＡＣアドレスを格納する。
認証鍵領域ＭＤａ２は、認証鍵を格納する。
グループ識別情報領域ＭＤａ３は、配信制御装置２３０及び情報表示装置１５０のグループを識別する為の識別情報であるグループ識別情報を格納する。以下及び図面において、グループ識別情報をＧＩＤともいう。ここで、グループ識別情報領域ＭＤａ３には、配信制御装置２３０で管理する全てのグループのグループ識別情報が格納される。
装置番号領域ＭＤａ４は、グループ識別情報ＭＤａ３で識別されるグループにおいて、配信制御装置２３０に映像情報を優先して配信する順番を示す装置番号が格納される。装置番号は、グループ識別情報領域ＭＤａ３に格納されているグループ識別情報毎に割り振られている。なお、装置番号は、各々の装置に連番となるように割り振られており、本実施の形態では、配信制御装置２３０の装置番号は、全てのグループにおいて、映像情報を配信する順番が最初の順番となるようにされている。例えば、配信制御装置２３０の装置番号は、全てのグループにおいて「００００」となっている。以下及び図面において、装置番号をＩＤともいう。
【００７９】
主更新管理情報領域ＭＤａ５は、配信制御装置２３０及び情報表示装置１５０における映像情報の更新を管理するための主更新管理情報が格納される。例えば、主更新管理情報は、グループ識別情報欄ＭＤａ５−１、装置番号欄ＭＤａ５−２、ＭＡＣアドレス欄ＭＤａ５−３及び完了フラグ欄ＭＤａ５−４を有するテーブル形式の情報である。
グループ識別情報欄ＭＤａ５−１は、装置番号欄ＭＤａ５−２で特定される配信制御装置２３０又は情報表示装置１５０が属するグループのグループ識別情報を格納する。
装置番号欄ＭＤａ５−２は、グループ識別情報欄ＭＤａ５−１で特定されるグループに属する配信制御装置２３０又は情報表示装置１５０を識別する為の装置番号を格納する。
ＭＡＣアドレス欄ＭＤａ５−３は、装置番号欄ＭＤａ５−２で特定される配信制御装置２３０又は情報表示装置１５０のＭＡＣアドレスを格納する。
完了フラグ欄ＭＤａ５−４には、装置番号欄ＭＤａ５−２及びＭＡＣアドレス欄ＭＤａ５−３で特定される配信制御装置２３０又は情報表示装置１５０において、映像情報の更新が完了したか否かを示す完了フラグが格納される。例えば、完了フラグは、「１」の場合には、映像情報の更新が完了したことを示し、「０」の場合には、映像情報の更新が完了していないことを示す。
【００８０】
使用ＣＨ番号領域ＭＤａ６は、グループ識別情報欄ＭＤａ３に格納されているグループ識別情報で示されるグループ毎に、映像情報を送受信する際に使用される無線ネットワーク１７１のチャンネルを示す使用ＣＨ番号を格納する。
コンテンツ識別情報領域ＭＤａ７は、グループ識別情報欄ＭＤａ３に格納されているグループ識別情報で示されるグループ毎に、配信される映像情報を識別する為の識別情報であるコンテンツ識別情報を格納する。
表示時間情報領域ＭＤａ８は、コンテンツ識別情報領域ＭＤａ７に格納されているコンテンツ識別情報で示される映像情報毎に、表示する時間又は時刻を示す表示時間情報を格納する。
【００８１】
図１２は、配信制御装置２３０の構成を概略的に示す図である。配信制御装置２３０は、ＩＦ部１３１と、第１配信管理部２３２と、送受信制御部１３３と、有線通信部１３４と、無線通信部１３５とを備える。配信制御装置２３０は、第１配信管理部２３２において、実施の形態１に係る配信制御装置１３０と異なる。なお、送受信制御部１３３及び有線通信部１３４により、第１有線通信処理部１３６が構成され、送受信制御部１３３及び無線通信部１３５により、第１無線通信処理部１３７が構成される。
【００８２】
第１配信管理部２３２は、ＩＦ部１３１を介して受信した主管理情報ＭＤａに基づいて、情報表示装置１５０における映像情報の更新管理を行う。
図１３は、第１配信管理部２３２の構成を概略的に示す図である。第１配信管理部２３２は、第１管理情報記憶部２３２Ａと、第１管理情報管理部２３２Ｂと、一時情報記憶部２３２Ｃと、第１更新制御部２３２Ｄと、第１映像情報記憶部２３２Ｅと、第１映像情報管理部２３２Ｆとを備える。ここで、第１管理情報管理部２３２Ｂ、第１更新制御部２３２Ｄ及び第１映像情報管理部２３２Ｆにより、第１制御部２３２Ｇが構成されるものとする。
【００８３】
第１管理情報記憶部２３２Ａは、図１２に示すＩＦ部１３１より送られてきた主管理情報ＭＤａ、及び主管理情報ＭＤａから作成された情報表示装置１５０毎の管理情報ＭＤ（図２参照）を記憶する。ここで、情報表示装置１５０毎の管理情報ＭＤは、第１更新制御部２３２Ｄにより作成される。
第１管理情報管理部２３２Ｂは、第１管理情報記憶部２３２Ａに記憶されている主管理情報ＭＤａ及び管理情報ＭＤを管理する。例えば、第１管理情報管理部２３２Ｂは、第１更新制御部２３２Ｄの指示に応じて、第１管理情報記憶部２３２Ａに記憶されている主管理情報ＭＤａ及び管理情報ＭＤの更新を行う。
【００８４】
一時情報記憶部２３２Ｃは、更新済みの映像情報のデータサイズ、及び各々の情報表示装置１５０から送られてきた管理情報ＭＤ等、第１更新制御部２３２Ｄで用いる情報を格納する。
第１更新制御部２３２Ｄは、情報伝送装置１２０を介して得られた主管理情報ＭＤａの更新を制御する。また、第１更新制御部２３２Ｄは、主管理情報ＭＤａに基づいて、映像情報の配信を制御する。さらに、第１更新制御部２３２Ｄは、主管理情報ＭＤａより、情報表示装置１５０毎の管理情報ＭＤを作成し、作成した管理情報ＭＤを、対応する各々の情報表示装置１５０に配信する処理を制御する。
【００８５】
例えば、第１更新制御部２３２Ｄは、以下のプロセスＰ１〜Ｐ８により、主管理情報ＭＤａから、情報表示装置１５０毎の管理情報ＭＤを作成する。ここで、管理情報ＭＤについては、図２と同様に構成される。
まず、第１更新制御部２３２Ｄは、図２と同様の構成となるように管理情報ＭＤを作成する（Ｐ１）。ここでは、管理情報ＭＤを構成する各領域は、空にされている。
次に、第１更新制御部２３２Ｄは、主管理情報ＭＤａの主更新管理情報領域ＭＤａ５に格納されている主更新管理情報において、１つの行に格納されているグループ識別情報、装置番号、ＭＡＣアドレス及び完了フラグを取得する（Ｐ２）。
次に、第１更新制御部２３２Ｄは、プロセスＰ２で取得したＭＡＣアドレスを、プロセスＰ１で作成した管理情報ＭＤのＭＡＣアドレス領域ＭＤ１に格納し、プロセスＰ２で取得したグループ識別情報を、プロセスＰ１で作成した管理情報ＭＤのグループ識別情報領域ＭＤ２に格納し、プロセスＰ２で取得した装置番号を、プロセスＰ１で作成した管理情報ＭＤの装置番号領域ＭＤ４に格納する（Ｐ３）。
次に、第１更新制御部２３２Ｄは、主管理情報ＭＤａの主更新管理情報領域ＭＤａ５に格納されている主更新管理情報において、プロセスＰ２で取得したグループ識別情報と同じ情報がグループ識別情報欄ＭＤａ５−１に格納されている全ての行より、装置番号、ＭＡＣアドレス及び完了フラグを取得する（Ｐ４）。
次に、第１更新制御部２３２Ｄは、プロセスＰ４で同じ行から取得した装置番号、ＭＡＣアドレス及び完了フラグが同じ行となるテーブル情報を作成することで、更新管理情報を作成し、プロセスＰ１で作成した管理情報ＭＤの更新管理情報領域ＭＤ５に格納する（Ｐ５）。
次に、第１更新制御部２３２Ｄは、プロセスＰ３でグループ識別情報領域ＭＤ２に格納されたグループ識別情報に対応する使用ＣＨ番号及びコンテンツ識別情報を、主管理情報ＭＤａの使用ＣＨ番号領域ＭＤａ６及びコンテンツ識別情報ＭＤａ７より取得して、それぞれプロセスＰ１で作成した管理情報ＭＤの使用ＣＨ番号領域ＭＤ６及びコンテンツ識別情報ＭＤ７に格納する（Ｐ６）。
次に、第１更新制御部２３２Ｄは、プロセスＰ６でコンテンツ識別情報ＭＤ７に格納したコンテンツ識別情報で特定される映像情報の表示時間情報を、主管理情報ＭＤａの表示時間情報領域ＭＤａ８より取得して、プロセスＰ１で作成した管理情報ＭＤの表示時間情報領域ＭＤ８に格納する（Ｐ７）。
最後に、第１更新制御部２３２Ｄは、主管理情報ＭＤａの認証鍵領域ＭＤａ２から認証鍵を取得して、プロセスＰ１で作成した管理情報ＭＤの認証鍵領域ＭＤ２に格納する（Ｐ８）。
第１更新制御部２３２Ｄは、プロセスＰ１〜Ｐ７を、主管理情報ＭＤａの主更新管理情報領域ＭＤａ５に格納されている主更新管理情報の全ての行に対して行うことにより、全ての情報表示装置１５０の管理情報ＭＤを作成することができる。
【００８６】
第１映像情報記憶部２３２Ｅは、情報伝送装置１２０を介して得られた映像情報を記憶する。
第１映像情報管理部２３２Ｆは、第１映像情報記憶部２３２Ｅに記憶されている映像情報を管理する。例えば、第１映像情報管理部２３２Ｆは、第１更新制御部２３２Ｄからの指示に応じて、第１映像情報記憶部２３２Ｅから映像情報を読み出して、第１更新制御部２３２Ｄに与える。
【００８７】
図１４及び図１５は、配信制御装置２３０及び情報表示装置１５０が、映像情報を更新する処理を示すシーケンス図である。ここでは、配信制御装置２３０及び情報表示装置１５０Ａ〜１５０Ｃにより１つのグループが形成されており、配信制御装置２３０及び情報表示装置１５０Ａ〜１５０Ｃの装置番号の値は、配信制御装置２３０、情報表示装置１５０Ａ、情報表示装置１５０Ｂ及び情報表示装置１５０Ｃの順に大きくなっているものとする。
【００８８】
まず、配信制御装置２３０のＩＦ部１３１が、情報伝送装置１２０を介して、情報配信サーバ２１０より映像情報を受信する（Ｓ５０）。この映像情報は、ＩＦ部１３１より第１配信管理部２３２に渡される。第１配信管理部２３２では、第１更新制御部２３２Ｄが、第１映像情報管理部２３２Ｆを介して、この映像情報を第１映像情報記憶部２３２Ｅに記憶させる。
【００８９】
次に、配信制御装置２３０の第１更新制御部２３２Ｄは、第１管理情報管理部２３２Ｂを介して、主管理情報ＭＤａのコンテンツ識別情報領域ＭＤａ７を参照して、受信した映像情報を配信するグループを特定する。そして、第１更新制御部２３２Ｄは、第１管理情報管理部２３２Ｂを介して、主管理情報ＭＤａの主更新管理情報において、特定したグループのグループ識別情報がグループ識別情報欄ＭＤａ５−１に格納されている行のうち、ＭＡＣアドレス欄ＭＤａ５−３に配信制御装置２３０のＭＡＣアドレスが格納されている行の完了フラグ欄ＭＤａ５−４を「０」から「１」に更新する（Ｓ５１）。
【００９０】
そして、配信制御装置２３０の第１更新制御部２３２Ｄは、送受信制御部１３３に指示を出して、無線通信部１３５より、ビーコン信号を出力させる（Ｓ５２）。
【００９１】
配信制御装置２３０からのビーコン信号を検知した情報表示装置１５０Ａでは、第２更新制御部１５４Ｃが、他の情報表示装置１５０Ｂ、１５０Ｃよりも短い待機時間ＷＡＴのカウントを行い、送受信制御部１５３を介して、無線通信部１５２より配信制御装置２３０にアクセス要求を送信する（Ｓ５３）。
【００９２】
情報表示装置１５０Ａよりアクセス要求を受けた配信制御装置２３０では、第１更新制御部２３２Ｄが、第１映像情報管理部２３２Ｆを介して、第１映像情報記憶部２３２Ｅから映像情報を取得する。そして、第１更新制御部２３２Ｄは、この映像情報を、送受信制御部１３３を介して、無線通信部１３５より情報表示装置１５０Ａに送信する（Ｓ５４）。
【００９３】
そして、映像情報を送信した配信制御装置２３０では、第１更新制御部２３２Ｄが、主管理情報ＭＤａの主更新管理情報を更新して、映像情報の送信先である情報表示装置１５０Ａに対応する完了フラグ欄ＭＤａ５−４の値を「０」から「１」にする（Ｓ５５）。また、第１更新制御部２３２Ｄは、送受信制御部１３３を介して、無線通信部１３５に送信停止指示を出して、無線通信部１３５からのビーコン信号の送信を停止させる。以降、配信制御装置２３０は、情報表示装置１５０Ａよりも後の順番に対応する情報表示装置１５０Ｂ及び情報表示装置１５０Ｃの映像情報の更新には関与しない。
【００９４】
また、配信制御装置２３０より映像情報を受信した情報表示装置１５０Ａでは、無線通信部１５２から送受信制御部１５３を介して、受信した映像情報が第２配信管理部１５４に渡される。第２配信管理部１５４では、第２更新制御部１５４Ｃが、第２映像情報管理部１５４Ｅを介して、映像情報を第２映像情報記憶部１５４Ｄに記憶させる。また、第２更新制御部１５４Ｃは、管理情報ＭＤの更新管理情報を更新して、自装置に対応する完了フラグ欄ＭＤ５−３の値を「０」から「１」にする（Ｓ５６）。
【００９５】
次に、情報表示装置１５０Ａの第２更新制御部１５４Ｃは、管理情報ＭＤの更新管理情報において、自装置が最後の順番ではないことを確認すると、送受信制御部１５３に指示を出して、無線通信部１５２より、ビーコン信号を出力させる（Ｓ５７）。
【００９６】
本シーケンスでは、情報表示装置１５０Ｂは、故障又は周囲に干渉電波源がある等により、情報表示装置１５０Ａからのビーコン信号を検知することができないものとする。
この場合、情報表示装置１５０Ａからのビーコン信号を検知した情報表示装置１５０Ｃでは、第２更新制御部１５４Ｃが、情報表示装置１５０Ｂの次に短い待機時間ＷＡＴのカウントを行い、送受信制御部１５３を介して、無線通信部１５２より情報表示装置１５０Ａにアクセス要求を送信する（Ｓ５８）。
【００９７】
情報表示装置１５０Ｃよりアクセス要求を受けた情報表示装置１５０Ａでは、第２更新制御部１５４Ｃが、第２映像情報管理部１５４Ｅを介して、第２映像情報記憶部１５４Ｄから映像情報を取得する。そして、第２更新制御部１５４Ｃは、取得した映像情報を、送受信制御部１５３を介して、無線通信部１５２より情報表示装置１５０Ｃに送信する（Ｓ５９）。
【００９８】
そして、映像情報を送信した情報表示装置１５０Ａでは、第２更新制御部１５４Ｃが、管理情報ＭＤの更新管理情報を更新して、映像情報の送信先である情報表示装置１５０Ｃに対応する完了フラグ欄ＭＤ５−３に格納されている値を「０」から「１」にする（Ｓ６０）。また、第２更新制御部１５４Ｃは、送受信制御部１５３を介して、無線通信部１５２に送信停止指示を出して、無線通信部１５２からのビーコン信号の送信を停止させる。
【００９９】
また、情報表示装置１５０Ａより映像情報を受信した情報表示装置１５０Ｃでは、無線通信部１５２から送受信制御部１５３を介して、受信した映像情報が第２配信管理部１５４に渡される。第２配信管理部１５４では、第２更新制御部１５４Ｃが、第２映像情報管理部１５４Ｅを介して、この映像情報を第２映像情報記憶部１５４Ｄに記憶させる。また、第２更新制御部１５４Ｃは、管理情報ＭＤの更新管理情報を更新して、自装置に対応する完了フラグ欄ＭＤ５−３に格納されている値を「０」から「１」にする（Ｓ６１）。
【０１００】
次に、情報表示装置１５０Ｃの第２更新制御部１５４Ｃは、管理情報ＭＤの更新管理情報において、自装置が最後の順番であることを確認すると、送受信制御部１５３を介して、有線通信部１５１より、配信制御装置２３０に更新完了通知を送信する（Ｓ６２）。
【０１０１】
このような更新完了通知を受信した配信制御装置２３０では、第１更新制御部２３２Ｄが、主管理情報ＭＤａより、更新完了通知を送信してきた情報表示装置１５０Ｄが属するグループに含まれる全ての情報表示装置１５０Ａ〜１５０ＣのＭＡＣアドレスを取得する。そして、第１更新制御部２３２Ｄは、管理情報送信要求を、取得した全てのＭＡＣアドレスをあて先として送信するように送受信制御部１３３に指示を出す。このような指示を受けた送受信制御部１３３は、指示に応じて、有線通信部１３４に管理情報送信要求の送信を行わせる（Ｓ６３）。
【０１０２】
管理情報送信要求を受信した各々の情報表示装置１５０Ａ〜１５０Ｃでは、第２更新制御部１５４Ｃが、第２管理情報管理部１５４Ｂを介して、第２管理情報記憶部１５４Ａより管理情報ＭＤを取得する。そして、第２更新制御部１５４Ｃは、送受信制御部１５３を介して、この管理情報ＭＤを有線通信部１５１より配信制御装置２３０に送信する（Ｓ６４）。
なお、管理情報を送信する際には、不正な装置が、管理情報を混入させないように、情報表示装置１５０の機器認証を行うことが望ましい。
【０１０３】
図１５に進み、各々の情報表示装置１５０Ａ〜１５０Ｃより、管理情報ＭＤを受信した配信制御装置２３０では、有線通信部１３４から送受信制御部１３３を介して、管理情報ＭＤが第１配信管理部２３２に渡される。第１配信管理部２３２では、第１更新制御部２３２Ｄが、管理情報ＭＤを一時情報記憶部２３２Ｃに記憶させる。そして、第１更新制御部２３２Ｄは、管理情報ＭＤの更新管理情報を確認することにより、映像情報の更新が行われていない情報表示装置１５０があるか否かを確認する。本シーケンスでは、上述のように、情報表示装置１５０Ｂにおいて、映像情報の更新が行われていないものとする。このような場合には、第１更新制御部２３２Ｄは、グループ内における情報表示装置１５０の装置番号の振り直しを行う（Ｓ６５）。装置番号の振り直しは、予め定められた方法で行えばよいが、例えば、振り直し後の装置番号で定まる順番が、振り直し前の装置番号で定まる順番の逆の順番となるようにする。具体的には、情報表示装置１５０Ｃに装置番号「００００」、情報表示装置１５０Ｂに装置番号「０００１」、情報表示装置１５０Ａに装置番号「０００２」、及び配信制御装置２３０に装置番号「０００３」を割り振る。
【０１０４】
また、第１更新制御部２３２Ｄは、第１管理情報管理部２３２Ｂを介して、第１管理情報記憶部２３２Ａに格納されている主管理情報ＭＤａ及び管理情報ＭＤを更新して、主管理情報ＭＤａの装置番号領域ＭＤａ４及び主更新管理情報領域ＭＤａ５、並びに、管理情報ＭＤの装置番号領域ＭＤ４及び更新管理情報領域ＭＤ５に格納された情報が、ステップＳ６５で振り直された後の装置番号を示すようにする。このとき、第１更新制御部２３２Ｄは、主管理情報ＭＤａの主更新管理情報及び管理情報ＭＤの更新管理情報において、既に映像情報の更新が行われた配信制御装置２３０及び情報表示装置１５０のＭＡＣアドレスに対応する完了フラグ欄ＭＤａ５−４、ＭＤ５−３には、更新が完了していることを示す「１」の値を格納する。そして、第１更新制御部２３２Ｄは、送受信制御部１３３を介して、有線通信部１３４より更新後の管理情報ＭＤを各々の情報表示装置１５０Ａ〜１５０Ｃに送信する（Ｓ６６）。
なお、管理情報を送信する際には、不正な装置が、管理情報を受信しないように、認証鍵を使用して管理情報を暗号化し、暗号化した管理情報を情報表示装置１５０に送信することが望ましい。
【０１０５】
更新後の管理情報ＭＤを受信した各々の情報表示装置１５０Ａ〜１５０Ｃでは、有線通信部１５１から送受信制御部１５３を介して、管理情報ＭＤが第２配信管理部１５４に渡される。第２配信管理部１５４では、第２更新制御部１５４Ｃが、第２管理情報管理部１５４Ｂを介して、第２管理情報記憶部１５４Ａに既に記憶されている管理情報ＭＤを、渡された管理情報ＭＤに更新する。
【０１０６】
情報表示装置１５０Ｃの第２更新制御部１５４Ｃは、管理情報ＭＤの更新管理情報において、自装置が最初の順番であることを確認すると、送受信制御部１５３に指示を出して、無線通信部１５２にビーコン信号を出力させる（Ｓ６７）。
【０１０７】
情報表示装置１５０Ｃからのビーコン信号を検知した情報表示装置１５０Ｂでは、第２更新制御部１５４Ｃが、管理情報ＭＤの更新管理情報において、自装置の更新が行われていないことを確認すると、情報表示装置１５０Ａ及び配信制御装置２３０よりも短い待機時間ＷＡＴのカウントを行い、送受信制御部１５３を介して、無線通信部１５２より情報表示装置１５０Ｃにアクセス要求を送信する（Ｓ６８）。
【０１０８】
情報表示装置１５０Ｂよりアクセス要求を受けた情報表示装置１５０Ｃでは、第２更新制御部１５４Ｃが、第２映像情報管理部１５４Ｅを介して、第２映像情報記憶部１５４Ｄから映像情報を取得する。そして、第２更新制御部１５４Ｃは、取得した映像情報を、送受信制御部１５３を介して、無線通信部１５２より情報表示装置１５０Ｃに送信する（Ｓ６９）。
【０１０９】
そして、映像情報を送信した情報表示装置１５０Ｃでは、第２更新制御部１５４Ｃが、管理情報ＭＤの更新管理情報を更新して、映像情報の送信先である情報表示装置１５０Ｂに対応する完了フラグ欄ＭＤ５−３の値を「０」から「１」にする（Ｓ７０）。また、第２更新制御部１５４Ｃは、送受信制御部１５３を介して、無線通信部１５２に送信停止指示を出して、無線通信部１５２からのビーコン信号の送信を停止させる。以降、情報表示装置１５０Ｃは、情報表示装置１５０Ｂよりも後の順番の情報表示装置１５０Ａ及び配信制御装置２３０における映像情報の更新には関与しない。
【０１１０】
また、情報表示装置１５０Ｃより映像情報を受信した情報表示装置１５０Ｂでは、無線通信部１５２から送受信制御部１５３を介して、受信した映像情報が第２配信管理部１５４に渡される。第２配信管理部１５４では、第２更新制御部１５４Ｃが、第２映像情報管理部１５４Ｅを介して、映像情報を第２映像情報記憶部１５４Ｄに記憶させる。また、第２更新制御部１５４Ｃは、管理情報ＭＤの更新管理情報を更新して、自装置に対応する完了フラグ欄ＭＤ５−３の値を「０」から「１」にする（Ｓ７１）。
【０１１１】
次に、情報表示装置１５０Ｂの第２更新制御部１５４Ｃは、管理情報ＭＤの更新管理情報において、自装置が最後の順番ではないことを確認すると、送受信制御部１５３に指示を出して、無線通信部１５２より、ビーコン信号を出力させる（Ｓ７２）。
【０１１２】
情報表示装置１５０Ｂからのビーコン信号を検知した情報表示装置１５０Ａでは、第２更新制御部１５４Ｃが、管理情報ＭＤの更新管理情報において、自装置の更新が行われていることを確認すると、配信制御装置２３０よりも短い待機時間ＷＡＴのカウントを行い、送受信制御部１５３を介して、無線通信部１５２より情報表示装置１５０Ｂに更新済み通知を送信する（Ｓ７３）。
【０１１３】
このような更新済み通知を受信した情報表示装置１５０Ｂでは、第２更新制御部１５４Ｃが、送受信制御部１５３を介して、無線通信部１５２に送信停止指示を出して、無線通信部１５２からのビーコン信号の送信を停止させる。
【０１１４】
また、このような更新済み通知を送信した情報表示装置１５０Ａでは、第２更新制御部１５４Ｃが、管理情報ＭＤの更新管理情報において、自装置が最後の順番ではないことを確認すると、送受信制御部１５３に指示を出し、無線通信部１５２より、ビーコン信号を出力させる（Ｓ７４）。
【０１１５】
情報表示装置１５０Ａからのビーコン信号を検知した配信制御装置２３０では、第１更新制御部２３２Ｄが、待機時間ＷＡＴのカウントを行い、送受信制御部１３３を介して、無線通信部１３５より情報表示装置１５０Ａに更新済み通知を送信する（Ｓ７５）。
【０１１６】
このような更新済み通知を受信した情報表示装置１５０Ａでは、第２更新制御部１５４Ｃが、送受信制御部１５３を介して、無線通信部１５２に送信停止指示を出して、無線通信部１５２からのビーコン信号の送信を停止させる。
【０１１７】
また、このような更新済み通知を送信した配信制御装置２３０では、第１更新制御部２３２Ｄが、主管理情報ＭＤａの主更新管理情報において、自装置が最後の順番であることを確認すると、主管理情報ＭＤａより、ステップＳ７５で更新済み通知を送信した情報表示装置１５０Ａが属するグループに含まれる全ての情報表示装置１５０Ａ〜１５０ＣのＭＡＣアドレスを取得する。そして、第１更新制御部２３２Ｄは、管理情報送信要求を、取得した全てのＭＡＣアドレスをあて先として送信するように送受信制御部１３３に指示を出す。このような指示を受けた送受信制御部１３３は、指示に応じて、有線通信部１３４に管理情報送信要求の送信を行わせる（Ｓ７６）。
【０１１８】
管理情報送信要求を受信した各々の情報表示装置１５０Ａ〜１５０Ｃでは、第２更新制御部１５４Ｃが、第２管理情報管理部１５４Ｂを介して、第２管理情報記憶部１５４Ａより管理情報ＭＤを取得する。そして、第２更新制御部１５４Ｃは、送受信制御部１５３を介して、この管理情報ＭＤを有線通信部１５１より配信制御装置２３０に送信する（Ｓ７７）。
【０１１９】
各々の情報表示装置１５０Ａ〜１５０Ｃより、管理情報ＭＤを受信した配信制御装置２３０では、管理情報ＭＤが、有線通信部１３４から送受信制御部１３３を介して第１配信管理部２３２に渡される。第１配信管理部２３２では、第１更新制御部２３２Ｄが、管理情報ＭＤを一時情報記憶部２３２Ｃに記憶させる。そして、第１更新制御部２３２Ｄは、管理情報ＭＤの更新管理情報を確認することにより、映像情報の更新が行われていない情報表示装置１５０があるか否かを確認する。映像情報の更新が行われていない情報表示装置１５０がない場合には、映像情報の更新を終了する。
一方、映像情報の更新が行われていない情報表示装置１５０がある場合には、配信制御装置２３０は、さらにステップＳ６５の処理に戻って、処理を繰り返してもよいが、例えば、更新が行われていない情報表示装置１５０が故障を起こしているか、または周辺環境が悪い状態であると判断し、管理者に通知して処置をするように警報を情報配信サーバ２１０に送信するようにしてもよい。例えば、第１更新制御部２３２Ｄが、ＩＦ部１３１及び情報伝送装置１２０を介して、更新が行われていない情報表示装置１５０を識別することのできる情報（例えば、ＭＡＣアドレス等）を含む警報を、情報配信サーバ２１０に送信すればよい。
【０１２０】
以上のように、本実施の形態によれば、配信制御装置２３０を起点として映像情報の更新を行うことができるため、配信制御装置２３０の次の順番に対応する情報表示装置１５０が故障等している場合でも、その後の順番に対応する情報表示装置１５０に映像情報を送信することができるため、情報表示装置１５０における映像情報の更新を確実に行うことができる。
【０１２１】
以上に記載した実施の形態１及び２では、同一の車両１８０内において、映像情報が送受信されて、更新される場合について説明したが、異なる車両においても、映像情報が送受信されて、更新されるようにすることも可能である。例えば、図１６に示すように、隣り合う車両１８０Ａ、１８０Ｂ間で映像情報を更新する場合についても、同一グループ内の情報表示装置１５０間で、映像情報の送受信を行うことができる。複数の車両１８０Ａ、１８０Ｂが隣接して並んだ状況においては、車両間を跨いで映像情報の更新ができるため、映像情報の更新が容易になるとともに、複数の異なる映像情報をそれぞれのグループの情報表示装置１５０に表示させる場合にも管理が容易になる。
【０１２２】
車両１８０Ａ、１８０Ｂ間を跨いだ映像情報の更新については、有線ネットワークを使用して管理情報を送受信することができないため、それぞれの車両に配信制御装置１３０、２３０を設けておき、これらの配信制御装置１３０、２３０間において、無線通信部１３５を介して、管理情報の送受信を行うことにより、情報表示装置１５０の更新状況を管理することができる。この場合には、何れか１の配信制御装置１１０、２１０に、他の配信制御装置１１０、２１０から管理情報を集めて、この１の配信制御装置１１０、２１０で映像情報の更新状況を確認して、管理情報を更新し、他の配信制御装置１１０、２１０に更新した管理情報を送信すればよい。
また、配信制御装置１３０、２３０は、情報配信サーバ１１０、２１０とも接続できるため、情報配信サーバ１１０、２１０で更新管理情報を共有して各車両１８０Ａ、１８０Ｂの管理情報を更新、管理することにより、すべての車両１８０Ａ、１８０Ｂにおける映像情報の更新状態を確認することができる。このため、車両１８０Ａ、１８０Ｂを跨いでも、情報表示装置１５０間において映像情報を効率よく伝送し、全ての情報表示装置１５０における映像情報の更新を管理することが可能となる。
【０１２３】
以上に記載した実施の形態１及び２においては、装置番号を振り直す際に、振り直した後の装置番号で示される順番が、振り直す前の装置番号で示される順番の逆となるようにしているが、このような方法に限定されるものではない。振り直した後の装置番号で示される順番が、振り直す前の装置番号で示される順番と異なるようにすればよい。例えば、更新が行われなかった全ての映像表示装置１５０を、更新が行われた映像表示装置１５０の前又は後にまとめて、装置番号を振り直すこともできる。具体的には、振り直す前の装置番号で示される順番が「装置Ａ０→装置Ａ１→装置Ａ２→装置Ａ３→装置Ａ４」となっており、「装置Ａ２」及び「装置Ａ３」で映像情報の更新が行われなかったときには、更新が行われた「装置Ａ０→装置Ａ１→装置Ａ４」に、更新が行われなかった「装置Ａ２→装置Ａ３」又は「装置Ａ３→装置Ａ２」をつなげて、「装置Ａ０→装置Ａ１→装置Ａ４→装置Ａ２→装置Ａ３」又は「装置Ａ０→装置Ａ１→装置Ａ４→装置Ａ３→装置Ａ２」となるように装置番号を振り直すこともできる。このようにする場合には、更新が行われた装置内での順番及び更新が行われなかった装置内での順番は、装置番号を振り直す前の順番に従う等、任意の順番でかまわない。
なお、実施の形態２において、装置番号を振り直した後に、配信制御装置２３０が、最後の順番となっていない場合には、最後の順番となっている装置が、映像情報の更新を行った後又は他の装置に更新済み通知を送信した後に、配信制御装置２３０に更新完了通知を送信するようにすればよい。
【０１２４】
以上に記載した実施の形態１及び２においては、情報表示装置１５０は、自装置が最後の順番となっている場合に、配信制御装置１３０、２３０に更新完了通知を送信するようにしているが、最後の順番に至る前に、後の順番の全ての情報表示装置１５０にビーコン信号を検知できない状況が発生する場合もある。このため、情報表示装置１５０は、ビーコン信号を発信してから、予め定められた時間経過してもアクセス要求を受信しない場合には、更新完了通知を配信制御装置１３０、２３０に送信する。この場合、情報表示装置１５０は、更新完了通知を送信する前に、複数回ビーコン信号を発信してもよい。
【符号の説明】
【０１２５】
１００，２００：情報配信システム、  １１０，２１０：情報配信サーバ、  １２０：情報伝送装置、  １３０，２３０：配信制御装置、  １３１：ＩＦ部、  １３２，２３２：第１配信管理部、  １３２Ａ，２３２Ａ：第１管理情報記憶部、  １３２Ｂ，２３２Ｂ：第１管理情報管理部、  １３２Ｃ，２３２Ｃ：一時情報記憶部、  １３２Ｄ，２３２Ｄ：第１更新制御部、  １３２Ｅ，２３２Ｅ：第１映像情報記憶部、  １３２Ｆ，２３２Ｆ：第１映像情報管理部、  １３２Ｇ，２３２Ｇ：第１制御部、  １３３：送受信制御部、  １３４：有線通信部、  １３５：無線通信部、  １３６：第１有線通信処理部、  １３７：第１無線通信処理部、  １５０：情報表示装置、  １５１：有線通信部、  １５２：無線通信部、  １５３：送受信制御部、  １５４：第２配信管理部、  １５４Ａ：第２管理情報記憶部、  １５４Ｂ：第２管理情報管理部、  １５４Ｃ：第２更新制御部、  １５４Ｄ：第２映像情報記憶部、  １５４Ｅ：第２映像情報管理部、  １５４Ｆ：第２制御部、  １５５：映像情報処理部、  １５６：表示制御部、  １５７：表示部、  １５８：第２有線通信処理部、  １５９：第２無線通信処理部、  １７０：車両ネットワーク、  １７１：無線ネットワーク、  １８０：車両。
【図１】
2011259275.tif 000003
【図２】
2011259275.tif 000004
【図３】
2011259275.tif 000005
【図４】
2011259275.tif 000006
【図５】
2011259275.tif 000007
【図６】
2011259275.tif 000008
【図７】
2011259275.tif 000009
【図８】
2011259275.tif 000010
【図９】
2011259275.tif 000011
【図１０】
2011259275.tif 000012
【図１１】
2011259275.tif 000013
【図１２】
2011259275.tif 000014
【図１３】
2011259275.tif 000015
【図１４】
2011259275.tif 000016
【図１５】
2011259275.tif 000017
【図１６】
2011259275.tif 000018